(57)【要約】【課題】作業中の誤動作を防止する。【解決手段】情報処理装置は、制御部を具備する。この制御部は、情報処理装置と撮像装置の取付または取外しの際、情報処理装置または撮像装置の操作部材のうちの少なくとも１つの操作部材のユーザ操作を無効とする制御を行うものである。撮像装置は、制御部を具備する。この制御部は、情報処理装置と撮像装置の取付または取外しの際、情報処理装置または撮像装置の操作部材のうちの少なくとも１つの操作部材のユーザ操作を無効とする制御を行うものである。【選択図】図３
2015095864.tif 000002
【特許請求の範囲】
【請求項１】
情報処理装置と撮像装置の取付または取外しの際、前記情報処理装置または前記撮像装置の操作部材のうちの少なくとも１つの操作部材のユーザ操作を無効とする制御を行う制御部を具備する情報処理装置。
【請求項２】
前記制御部は、前記情報処理装置と前記撮像装置の取付開始が検出されてから取付終了が検出されるまでの間を、前記情報処理装置と前記撮像装置の取付の際とし、前記情報処理装置と前記撮像装置の取外し開始が検出されてから取外し終了が検出されるまでの間を、前記情報処理装置と前記撮像装置の取外しの際として、前記ユーザ操作を無効とする制御を行う請求項１記載の情報処理装置。
【請求項３】
前記制御部は、操作部材を用いた操作入力と、近距離無線通信を用いた近接装置の検出と、受信電波強度を用いた近接装置の検出と、前記撮像装置からの取付開始通知とのうちの少なくとも１つに基づいて、前記取付開始を検出する請求項２記載の情報処理装置。
【請求項４】
前記制御部は、前記情報処理装置および前記撮像装置のそれぞれについて前記取付開始が検出された場合に、前記ユーザ操作を無効とする制御を行う請求項３記載の情報処理装置。
【請求項５】
前記制御部は、前記取付開始が検出された場合には、前記取付開始が検出された旨の通知情報を前記撮像装置に送信し、前記情報処理装置が備える各操作部材のうちの少なくとも１つの操作部材のユーザ操作を無効とする制御を行い、
前記撮像装置は、前記通知情報を受信した場合に、前記撮像装置が備える各操作部材のうちの少なくとも１つの操作部材のユーザ操作を無効とする制御を行う
請求項３記載の情報処理装置。
【請求項６】
前記制御部は、前記取付開始の検出時からの経過時間と、操作部材を用いた操作入力と、前記撮像装置からの取付終了通知とのうちの少なくとも１つに基づいて、前記取付終了を検出する請求項２記載の情報処理装置。
【請求項７】
前記制御部は、前記取付終了が検出された場合に、前記ユーザ操作の無効を解除するための制御を行う請求項６記載の情報処理装置。
【請求項８】
前記制御部は、前記ユーザ操作を無効とした旨をユーザに通知するための制御を行う請求項１記載の情報処理装置。
【請求項９】
情報処理装置と撮像装置の取付または取外しの際、前記情報処理装置または前記撮像装置の操作部材のうちの少なくとも１つの操作部材のユーザ操作を無効とする制御を行う制御部を具備する撮像装置。
【請求項１０】
前記制御部は、前記情報処理装置と前記撮像装置の取付開始が検出されてから取付終了が検出されるまでの間を、前記情報処理装置と前記撮像装置の取付の際とし、前記情報処理装置と前記撮像装置の取外し開始が検出されてから取外し終了が検出されるまでの間を、前記情報処理装置と前記撮像装置の取外しの際として、前記ユーザ操作を無効とする制御を行う請求項９記載の撮像装置。
【請求項１１】
前記制御部は、操作部材を用いた操作入力と、近距離無線通信を用いた近接装置の検出と、受信電波強度を用いた近接装置の検出と、前記情報処理装置からの取付開始通知とのうちの少なくとも１つに基づいて、前記取付開始を検出する請求項１０記載の撮像装置。
【請求項１２】
前記制御部は、前記情報処理装置および前記撮像装置のそれぞれについて前記取付開始が検出された場合に、前記ユーザ操作を無効とする制御を行う請求項１１記載の撮像装置。
【請求項１３】
前記制御部は、前記取付開始が検出された場合には、前記取付開始が検出された旨の通知情報を前記情報処理装置に送信し、前記撮像装置が備える各操作部材のうちの少なくとも１つの操作部材のユーザ操作を無効とする制御を行い、
前記情報処理装置は、前記通知情報を受信した場合に、前記情報処理装置が備える各操作部材のうちの少なくとも１つの操作部材のユーザ操作を無効とする制御を行う
請求項１１記載の撮像装置。
【請求項１４】
前記制御部は、前記取付開始の検出時からの経過時間と、操作部材を用いた操作入力と、前記情報処理装置からの取付終了通知とのうちの少なくとも１つに基づいて、前記取付終了を検出する請求項１０記載の撮像装置。
【請求項１５】
前記制御部は、前記取付終了が検出された場合に、前記ユーザ操作の無効を解除するための制御を行う請求項１４記載の撮像装置。
【請求項１６】
前記制御部は、前記ユーザ操作を無効とした旨をユーザに通知するための制御を行う請求項９記載の撮像装置。
【請求項１７】
情報処理装置と撮像装置の取付または取外しの際、前記情報処理装置または前記撮像装置の操作部材のうちの少なくとも１つの操作部材のユーザ操作を無効とする制御を行う制御部を具備する撮像システム。
【請求項１８】
前記制御部は、前記情報処理装置と前記撮像装置の取付開始が検出されてから取付終了が検出されるまでの間を、前記情報処理装置と前記撮像装置の取付の際とし、前記情報処理装置と前記撮像装置の取外し開始が検出されてから取外し終了が検出されるまでの間を、前記情報処理装置と前記撮像装置の取外しの際として、前記ユーザ操作を無効とする制御を行う請求項１７記載の撮像システム。
【請求項１９】
前記制御部は、操作部材を用いた操作入力と、近距離無線通信を用いた近接装置の検出と、受信電波強度を用いた近接装置の検出と、前記情報処理装置または前記撮像装置からの取付開始通知とのうちの少なくとも１つに基づいて、前記取付開始を検出する請求項１８記載の撮像システム。
【請求項２０】
前記制御部は、前記情報処理装置および前記撮像装置のそれぞれについて前記取付開始が検出された場合に、前記ユーザ操作を無効とする制御を行う請求項１９記載の撮像システム。
【請求項２１】
前記制御部は、前記情報処理装置および前記撮像装置のうちの一方の装置から前記取付開始が検出された場合には、前記一方の装置の操作部材のうちの少なくとも１つの操作部材のユーザ操作を無効とする制御を行い、前記取付開始が検出された旨の通知情報を他方の装置に送信して前記他方の装置の操作部材のうちの少なくとも１つの操作部材のユーザ操作を無効とする制御を行う請求項１９記載の撮像システム。
【請求項２２】
前記制御部は、前記取付開始の検出時からの経過時間と、操作部材を用いた操作入力と、前記情報処理装置または前記撮像装置からの取付終了通知とのうちの少なくとも１つに基づいて、前記取付終了を検出する請求項１８記載の撮像システム。
【請求項２３】
前記制御部は、前記取付終了が検出された場合に、前記ユーザ操作の無効を解除するための制御を行う請求項２２記載の撮像システム。
【請求項２４】
前記制御部は、前記ユーザ操作を無効とした旨をユーザに通知するための制御を行う請求項１７記載の撮像システム。
【請求項２５】
情報処理装置と撮像装置の取付または取外しの際、前記情報処理装置または前記撮像装置の操作部材のうちの少なくとも１つの操作部材のユーザ操作を無効とする情報処理方法。
【請求項２６】
情報処理装置と撮像装置の取付または取外しの際、前記情報処理装置または前記撮像装置の操作部材のうちの少なくとも１つの操作部材のユーザ操作を無効とする手順をコンピュータに実行させるプログラム。
【発明の詳細な説明】
【技術分野】
【０００１】
本技術は、情報処理装置および撮像装置に関する。詳しくは、ユーザ操作に基づく処理を行う情報処理装置、撮像装置、撮像システムおよび情報処理方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。
【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。
【０００６】
ここで、例えば、無線通信を利用して撮像装置を操作することが可能な情報処理装置に、その撮像装置を取り付けて撮像動作を行うことを想定する。この場合には、情報処理装置に撮像装置を取り付ける作業をユーザが行う必要がある。しかしながら、この作業中に、情報処理装置または撮像装置の操作部材にユーザが誤って触れてしまうことも想定される。この場合には、ユーザが触れた操作部材に応じた動作が実行されてしまい、作業を中断しなければならなくなることも想定される。
【０００７】
本技術はこのような状況に鑑みて生み出されたものであり、作業中の誤動作を防止することを目的とする。
【課題を解決するための手段】
【０００８】
本技術は、上述の問題点を解消するためになされたものであり、その第１の側面は、情報処理装置と撮像装置の取付または取外しの際、上記情報処理装置または上記撮像装置の操作部材のうちの少なくとも１つの操作部材のユーザ操作を無効とする制御を行う制御部を具備する情報処理装置およびその情報処理方法ならびに当該方法をコンピュータに実行させるプログラムである。これにより、情報処理装置と撮像装置の取付または取外しの際、情報処理装置または撮像装置の操作部材のうちの少なくとも１つの操作部材のユーザ操作を無効とするという作用をもたらす。
【０００９】
また、この第１の側面において、上記制御部は、上記情報処理装置と上記撮像装置の取付開始が検出されてから取付終了が検出されるまでの間を、上記情報処理装置と上記撮像装置の取付の際とし、上記情報処理装置と上記撮像装置の取外し開始が検出されてから取外し終了が検出されるまでの間を、上記情報処理装置と上記撮像装置の取外しの際として、上記ユーザ操作を無効とする制御を行うようにしてもよい。これにより、情報処理装置と撮像装置の取付開始が検出されてから取付終了が検出されるまでの間、または、情報処理装置と撮像装置の取外し開始が検出されてから取外し終了が検出されるまでの間、ユーザ操作を無効とするという作用をもたらす。
【００１０】
また、この第１の側面において、上記制御部は、操作部材を用いた操作入力と、近距離無線通信を用いた近接装置の検出と、受信電波強度を用いた近接装置の検出と、上記撮像装置からの取付開始通知とのうちの少なくとも１つに基づいて、上記取付開始を検出するようにしてもよい。これにより、操作部材を用いた操作入力と、近距離無線通信を用いた近接装置の検出と、受信電波強度を用いた近接装置の検出と、撮像装置からの取付開始通知とのうちの少なくとも１つに基づいて取付開始を検出するという作用をもたらす。
【００１１】
また、この第１の側面において、上記制御部は、上記情報処理装置および上記撮像装置のそれぞれについて上記取付開始が検出された場合に、上記ユーザ操作を無効とする制御を行うようにしてもよい。これにより、情報処理装置および撮像装置のそれぞれについて取付開始が検出された場合に、ユーザ操作を無効とするという作用をもたらす。
【００１２】
また、この第１の側面において、上記制御部は、上記取付開始が検出された場合には、上記取付開始が検出された旨の通知情報を上記撮像装置に送信し、上記情報処理装置が備える各操作部材のうちの少なくとも１つの操作部材のユーザ操作を無効とする制御を行い、上記撮像装置は、上記通知情報を受信した場合に、上記撮像装置が備える各操作部材のうちの少なくとも１つの操作部材のユーザ操作を無効とする制御を行うようにしてもよい。これにより、情報処理装置は、取付開始が検出された場合には、取付開始が検出された旨の通知情報を撮像装置に送信し、情報処理装置が備える各操作部材のうちの少なくとも１つの操作部材のユーザ操作を無効とする制御を行い、撮像装置は、通知情報を受信した場合に、撮像装置が備える各操作部材のうちの少なくとも１つの操作部材のユーザ操作を無効とするという作用をもたらす。
【００１３】
また、この第１の側面において、上記制御部は、上記取付開始の検出時からの経過時間と、操作部材を用いた操作入力と、上記撮像装置からの取付終了通知とのうちの少なくとも１つに基づいて、上記取付終了を検出するようにしてもよい。これにより、取付開始の検出時からの経過時間と、操作部材を用いた操作入力と、撮像装置からの取付終了通知とのうちの少なくとも１つに基づいて取付終了を検出するという作用をもたらす。
【００１４】
また、この第１の側面において、上記制御部は、上記取付終了が検出された場合に、上記ユーザ操作の無効を解除するための制御を行うようにしてもよい。これにより、取付終了が検出された場合に、ユーザ操作の無効を解除するという作用をもたらす。
【００１５】
また、この第１の側面において、上記制御部は、上記ユーザ操作を無効とした旨をユーザに通知するための制御を行うようにしてもよい。これにより、ユーザ操作を無効とした旨をユーザに通知するという作用をもたらす。
【００１６】
また、本技術の第２の側面は、情報処理装置と撮像装置の取付または取外しの際、上記情報処理装置または上記撮像装置の操作部材のうちの少なくとも１つの操作部材のユーザ操作を無効とする制御を行う制御部を具備する撮像装置およびその情報処理方法ならびに当該方法をコンピュータに実行させるプログラムである。これにより、情報処理装置と撮像装置の取付または取外しの際、情報処理装置または撮像装置の操作部材のうちの少なくとも１つの操作部材のユーザ操作を無効とするという作用をもたらす。
【００１７】
また、この第２の側面において、上記制御部は、上記情報処理装置と上記撮像装置の取付開始が検出されてから取付終了が検出されるまでの間を、上記情報処理装置と上記撮像装置の取付の際とし、上記情報処理装置と上記撮像装置の取外し開始が検出されてから取外し終了が検出されるまでの間を、上記情報処理装置と上記撮像装置の取外しの際として、上記ユーザ操作を無効とする制御を行うようにしてもよい。これにより、情報処理装置と撮像装置の取付開始が検出されてから取付終了が検出されるまでの間、または、情報処理装置と撮像装置の取外し開始が検出されてから取外し終了が検出されるまでの間、ユーザ操作を無効とするという作用をもたらす。
【００１８】
また、この第２の側面において、上記制御部は、操作部材を用いた操作入力と、近距離無線通信を用いた近接装置の検出と、受信電波強度を用いた近接装置の検出と、上記情報処理装置からの取付開始通知とのうちの少なくとも１つに基づいて、上記取付開始を検出するようにしてもよい。これにより、操作部材を用いた操作入力と、近距離無線通信を用いた近接装置の検出と、受信電波強度を用いた近接装置の検出と、情報処理装置からの取付開始通知とのうちの少なくとも１つに基づいて取付開始を検出するという作用をもたらす。
【００１９】
また、この第２の側面において、上記制御部は、上記情報処理装置および上記撮像装置のそれぞれについて上記取付開始が検出された場合に、上記ユーザ操作を無効とする制御を行うようにしてもよい。これにより、情報処理装置および撮像装置のそれぞれについて取付開始が検出された場合に、ユーザ操作を無効とするという作用をもたらす。
【００２０】
また、この第２の側面において、上記制御部は、上記取付開始が検出された場合には、上記取付開始が検出された旨の通知情報を上記情報処理装置に送信し、上記撮像装置が備える各操作部材のうちの少なくとも１つの操作部材のユーザ操作を無効とする制御を行い、上記情報処理装置は、上記通知情報を受信した場合に、上記情報処理装置が備える各操作部材のうちの少なくとも１つの操作部材のユーザ操作を無効とする制御を行うようにしてもよい。これにより、撮像装置は、取付開始が検出された場合には、取付開始が検出された旨の通知情報を情報処理装置に送信し、撮像装置が備える各操作部材のうちの少なくとも１つの操作部材のユーザ操作を無効とする制御を行い、情報処理装置は、通知情報を受信した場合に、情報処理装置が備える各操作部材のうちの少なくとも１つの操作部材のユーザ操作を無効とするという作用をもたらす。
【００２１】
また、この第２の側面において、上記制御部は、上記取付開始の検出時からの経過時間と、操作部材を用いた操作入力と、上記情報処理装置からの取付終了通知とのうちの少なくとも１つに基づいて、上記取付終了を検出するようにしてもよい。これにより、取付開始の検出時からの経過時間と、操作部材を用いた操作入力と、情報処理装置からの取付終了通知とのうちの少なくとも１つに基づいて取付終了を検出するという作用をもたらす。
【００２２】
また、この第２の側面において、上記制御部は、上記取付終了が検出された場合に、上記ユーザ操作の無効を解除するための制御を行うようにしてもよい。これにより、取付終了が検出された場合に、ユーザ操作の無効を解除するという作用をもたらす。
【００２３】
また、この第２の側面において、上記制御部は、上記ユーザ操作を無効とした旨をユーザに通知するための制御を行うようにしてもよい。これにより、ユーザ操作を無効とした旨をユーザに通知するという作用をもたらす。
【００２４】
また、本技術の第３の側面は、情報処理装置と撮像装置の取付または取外しの際、上記情報処理装置または上記撮像装置の操作部材のうちの少なくとも１つの操作部材のユーザ操作を無効とする制御を行う制御部を具備する撮像システムおよびその情報処理方法ならびに当該方法をコンピュータに実行させるプログラムである。これにより、情報処理装置と撮像装置の取付または取外しの際、情報処理装置または撮像装置の操作部材のうちの少なくとも１つの操作部材のユーザ操作を無効とするという作用をもたらす。
【００２５】
また、この第３の側面において、上記制御部は、上記情報処理装置と上記撮像装置の取付開始が検出されてから取付終了が検出されるまでの間を、上記情報処理装置と上記撮像装置の取付の際とし、上記情報処理装置と上記撮像装置の取外し開始が検出されてから取外し終了が検出されるまでの間を、上記情報処理装置と上記撮像装置の取外しの際として、上記ユーザ操作を無効とする制御を行うようにしてもよい。これにより、情報処理装置と撮像装置の取付開始が検出されてから取付終了が検出されるまでの間、または、情報処理装置と撮像装置の取外し開始が検出されてから取外し終了が検出されるまでの間、ユーザ操作を無効とするという作用をもたらす。
【００２６】
また、この第３の側面において、上記制御部は、操作部材を用いた操作入力と、近距離無線通信を用いた近接装置の検出と、受信電波強度を用いた近接装置の検出と、上記情報処理装置または上記撮像装置からの取付開始通知とのうちの少なくとも１つに基づいて、上記取付開始を検出するようにしてもよい。これにより、操作部材を用いた操作入力と、近距離無線通信を用いた近接装置の検出と、受信電波強度を用いた近接装置の検出と、情報処理装置または撮像装置からの取付開始通知とのうちの少なくとも１つに基づいて、取付開始を検出するという作用をもたらす。
【００２７】
また、この第３の側面において、上記制御部は、上記情報処理装置および上記撮像装置のそれぞれについて上記取付開始が検出された場合に、上記ユーザ操作を無効とする制御を行うようにしてもよい。これにより、情報処理装置および撮像装置のそれぞれについて取付開始が検出された場合に、ユーザ操作を無効とするという作用をもたらす。
【００２８】
また、この第３の側面において、上記制御部は、上記情報処理装置および上記撮像装置のうちの一方の装置から上記取付開始が検出された場合には、上記一方の装置の操作部材のうちの少なくとも１つの操作部材のユーザ操作を無効とする制御を行い、上記取付開始が検出された旨の通知情報を他方の装置に送信して上記他方の装置の操作部材のうちの少なくとも１つの操作部材のユーザ操作を無効とする制御を行うようにしてもよい。これにより、情報処理装置および撮像装置のうちの一方の装置から取付開始が検出された場合には、一方の装置の操作部材のうちの少なくとも１つの操作部材のユーザ操作を無効とする制御を行い、取付開始が検出された旨の通知情報を他方の装置に送信して他方の装置の操作部材のうちの少なくとも１つの操作部材のユーザ操作を無効とするという作用をもたらす。
【００２９】
また、この第３の側面において、上記制御部は、上記取付開始の検出時からの経過時間と、操作部材を用いた操作入力と、上記情報処理装置または上記撮像装置からの取付終了通知とのうちの少なくとも１つに基づいて、上記取付終了を検出するようにしてもよい。これにより、取付開始の検出時からの経過時間と、操作部材を用いた操作入力と、情報処理装置または撮像装置からの取付終了通知とのうちの少なくとも１つに基づいて、取付終了を検出するという作用をもたらす。
【００３０】
また、この第３の側面において、上記制御部は、上記取付終了が検出された場合に、上記ユーザ操作の無効を解除するための制御を行うようにしてもよい。これにより、取付終了が検出された場合に、ユーザ操作の無効を解除するという作用をもたらす。
【００３１】
また、この第３の側面において、上記制御部は、上記ユーザ操作を無効とした旨をユーザに通知するための制御を行うようにしてもよい。これにより、ユーザ操作を無効とした旨をユーザに通知するという作用をもたらす。
【発明の効果】
【００３２】
本技術によれば、作業中の誤動作を防止することができるという優れた効果を奏し得る。なお、ここに記載された効果は必ずしも限定されるものではなく、本開示中に記載されたいずれかの効果であってもよい。
【図面の簡単な説明】
【００３３】
【図１】本技術の第１の実施の形態における撮像装置１００の外観構成を示す図である。
【図２】本技術の第１の実施の形態における撮像装置１００を情報処理装置２００に取り付けた場合の外観構成を示す図である。
【図３】本技術の第１の実施の形態における撮像装置１００および情報処理装置２００の機能構成例を示すブロック図である。
【図４】本技術の第１の実施の形態における撮像装置１００および情報処理装置２００の使用例を示す図である。
【図５】本技術の第１の実施の形態における撮像装置１００および情報処理装置２００のユーザ操作を無効とする期間の一例（ユーザ操作無効期間３００、３１０）を示す図である。
【図６】本技術の第１の実施の形態における撮像装置１００および情報処理装置２００を示す外観図である。
【図７】本技術の第１の実施の形態における情報処理装置２００による取付開始検出処理の処理手順の一例を示すフローチャートである。
【図８】本技術の第１の実施の形態における撮像装置１００および情報処理装置２００を示す外観図である。
【図９】本技術の第１の実施の形態における情報処理装置２００による取付開始検出処理の処理手順の一例を示すフローチャートである。
【図１０】本技術の第１の実施の形態における撮像装置１００および情報処理装置２００による取付開始検出処理の処理手順の一例を示すフローチャートである。
【図１１】本技術の第１の実施の形態における撮像装置１００および情報処理装置２００による取付終了検出処理の処理手順の一例を示すフローチャートである。
【図１２】本技術の第１の実施の形態における撮像装置１００および情報処理装置２００による取付終了検出処理の処理手順の一例を示すフローチャートである。
【図１３】本技術の第１の実施の形態における情報処理装置２００の入出力部２４０に表示される表示画面（特定パターン画面４００）の一例を示す図である。
【図１４】本技術の第１の実施の形態における撮像装置１００および情報処理装置２００による取付終了検出処理の処理手順の一例を示すフローチャートである。
【図１５】本技術の第１の実施の形態における撮像装置１００および情報処理装置２００による取付終了検出処理の処理手順の一例を示すフローチャートである。
【図１６】本技術の第１の実施の形態における撮像装置１００によりユーザ操作無効期間中の通知を行う場合の遷移例を示す図である。
【図１７】本技術の第１の実施の形態における情報処理装置２００によりユーザ操作無効期間中の通知を行う場合の遷移例を示す図である。
【図１８】本技術の第１の実施の形態における撮像装置１００による操作部材無効化処理の処理手順の一例を示すフローチャートである。
【図１９】本技術の第１の実施の形態における情報処理装置２００による操作部材無効化処理の処理手順の一例を示すフローチャートである。
【図２０】本技術の第２の実施の形態における情報処理装置２００による操作部材無効化処理の処理手順の一例を示すフローチャートである。
【発明を実施するための形態】
【００３４】
以下、本技術を実施するための形態（以下、実施の形態と称する）について説明する。説明は以下の順序により行う。
１．第１の実施の形態（撮像装置および情報処理装置の取付開始が検出されてから取付終了が検出されるまでの間、ユーザ操作を無効とする例）
２．第２の実施の形態（撮像装置および情報処理装置の取外し開始が検出されてから取外し終了が検出されるまでの間、ユーザ操作を無効とする例）
【００３５】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００３６】
また、本技術の実施の形態では、撮像装置１００を、円筒形（円柱形）の撮像装置（例えば、レンズスタイルのカメラ）とする例を示す。すなわち、撮像装置１００の形状を、一般の撮像装置（例えば、一体型カメラ）のレンズ部分のみを取り出したような形状とする例を示す。また、撮像装置１００は、例えば、デジタルスチルカメラやデジタルビデオカメラ（例えば、カメラ一体型レコーダ）により実現される。
【００３７】
撮像装置１００は、操作部材１６１乃至１６３と、表示部１７０と、鏡筒１８０と、取付部材１９１、１９２とを備える。
【００３８】
鏡筒１８０は、光学系、撮像系等の各部材を収容するものである。
【００３９】
操作部材１６１乃至１６３は、各種の操作入力を行う際に用いられる操作部材である。例えば、操作部材１６１は、撮像装置１００のシャッター操作（撮像部１１０（図３に示す）により生成される画像（画像データ）を画像コンテンツとして記録するための操作）を行う際に用いられる操作部材（シャッターボタン（シャッターキー））である。また、操作部材１６２は、撮像装置１００のズーム操作を行う際に用いられる操作部材（ズームレバー）である。また、操作部材１６３は、撮像装置１００の電源のオンオフ操作を行う際に用いられる操作部材（電源ボタン）である。
【００４０】
表示部１７０（図１６に示す）は、各種情報を表示するものである。例えば、表示部１７０には、撮像装置１００に関する各情報（例えば、記録媒体の有無を確認するための情報、バッテリ残量を確認するための情報）が表示される。なお、表示部１７０の表示例については、図１６に示す。
【００４１】
取付部材１９１、１９２は、撮像装置１００を他の装置（例えば、図２に示す情報処理装置２００）に取り付ける際に用いられるアタッチメントである。例えば、他の装置の形状、サイズに応じて、取付部材１９１を矢印１９３方向に移動させ、取付部材１９２を矢印１９４方向に移動させることにより、撮像装置１００をその装置に取り付けることができる。すなわち、取付部材１９１、１９２は、撮像装置１００を他の装置に固定するためのアタッチメントである。また、撮像装置１００を他の装置に取り付ける場合のアタッチメント面を装着面１９５（図１のａに示すレンズ側の面の反対側の面）として示す。なお、撮像装置１００を他の装置に取り付ける場合の例を図２に示す。
【００４２】
このように、撮像装置１００は、例えば、通常の撮像動作を行うことが可能であるとともに、他の装置（例えば、スマートフォン）に取り付けて使用することができる。また、他の装置に取り付けて使用する場合には、他の装置を用いた遠隔操作により撮像装置１００を操作することができる。
【００４３】
［撮像装置の取付例］
図２は、本技術の第１の実施の形態における撮像装置１００を情報処理装置２００に取り付けた場合の外観構成を示す図である。
【００４４】
図２のａおよびｂには、情報処理装置２００の一面（撮像部２９２が備えられている面）に撮像装置１００を取り付けた場合の例を示す。図２のａには、情報処理装置２００に撮像装置１００を取り付けた場合の正面図を示す。また、図２のｂには、情報処理装置２００に撮像装置１００を取り付けた場合の斜視図を示す。
【００４５】
情報処理装置２００は、操作部材２２１乃至２２３と、入出力部２４０（図３、図１７に示す）と、音声出力部２８０と、発光部２９１と、撮像部２９２とを備える。なお、情報処理装置２００は、例えば、スマートフォン、タブレット端末、コンテンツ出力装置、ゲーム機器等の情報処理装置により実現される。
【００４６】
操作部材２２１乃至２２３は、各種の操作入力を行う際に用いられる操作部材である。例えば、操作部材２２１は、情報処理装置２００のシャッター操作（撮像部２９２により生成される画像（画像データ）を画像コンテンツとして記録するための操作）を行う際に用いられる操作部材（シャッターボタン（シャッターキー））である。また、操作部材２２２は、音声出力部２８０から出力される音量を調整するための操作を行う際に用いられる操作部材（音量調整ボタン（音量バー））である。また、操作部材２２３は、情報処理装置２００の電源のオンオフ操作を行う際に用いられる操作部材（電源ボタン）である。
【００４７】
入出力部２４０は、各種画像を表示するとともに、入出力部２４０の表示面に近接または接触する物体の検出状態に基づいてユーザからの操作入力を受け付けるものである。
【００４８】
音声出力部２８０は、各種の音声情報を出力するものである。
【００４９】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００５０】
撮像部２９２は、被写体を撮像して画像（画像データ）を生成するものである。
【００５１】
図２に示すように、撮像装置１００の取付部材１９１、１９２により情報処理装置２００の本体を挟むことにより、撮像装置１００を情報処理装置２００に固定することができる。なお、情報処理装置２００における他の部分（図２に示す部分以外の部分）に撮像装置１００を取り付けるようにしてもよい。
【００５２】
［撮像装置および情報処理装置の機能構成例］
図３は、本技術の第１の実施の形態における撮像装置１００および情報処理装置２００の機能構成例を示すブロック図である。なお、撮像装置１００および情報処理装置２００により構成される撮像システムは、特許請求の範囲に記載の撮像システムの一例である。
【００５３】
［撮像装置の機能構成例］
撮像装置１００は、撮像部１１０と、画像処理部１２０と、記憶部１３０と、制御部１４０と、無線通信部１５０と、操作受付部１６０と、表示部１７０とを備える。
【００５４】
撮像部１１０は、制御部１４０の制御に基づいて、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するための画像データとの両方の意味を含むものとする。
【００５５】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００５６】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００５７】
制御部１４０は、制御プログラムに基づいて撮像装置１００における各部を制御するものである。例えば、制御部１４０は、撮像装置１００に備えられているズームレバー（操作部材１６２）やシャッターボタン（操作部材１６１）等の操作部材により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。
【００５８】
また、例えば、制御部１４０は、情報処理装置２００および撮像装置１００の取付開始が検出されてから取付終了が検出されるまでの間、各装置のそれぞれが備える各操作部材のうちの少なくとも１つの操作部材のユーザ操作を無効とする制御を行う。例えば、制御部１４０は、情報処理装置２００および撮像装置１００のそれぞれについて取付開始が検出された場合に、そのユーザ操作を無効とする制御を行う。例えば、制御部１４０は、情報処理装置２００の入出力部２４０におけるタッチ操作、情報処理装置２００の操作部材２２１乃至２２３、撮像装置１００の操作部材１６１乃至１６３のうちの少なくとも１つのユーザ操作を無効とする制御を行う。この場合に、制御部１４０は、そのユーザ操作を無効とした旨をユーザに通知するための制御を行う。この通知例については、図１６に示す。また、例えば、制御部１４０は、その取付終了が検出された場合に、そのユーザ操作の無効を解除するための制御を行う。
【００５９】
無線通信部１５０は、制御部１４０の制御に基づいて、無線通信を利用して、他の情報処理装置（例えば、情報処理装置２００）との間で各情報（例えば、制御データ、画像データ）の送受信を行うものである。
【００６０】
ここで、無線通信として、例えば、ＮＦＣ（Near Field Communication）、無線ＬＡＮ（Local Area Network）を用いることができる。この無線ＬＡＮとして、例えば、Ｗｉ−Ｆｉ（Wireless Fidelity）を用いることができる。また、無線通信として、例えば、Ｂｌｕｅｔｏｏｔｈ（登録商標）、赤外線、携帯電波等の無線通信を用いることができる。
【００６１】
また、複数の無線通信方式を用いることができる。例えば、無線通信の開始時には、ＮＦＣにより電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００６２】
また、例えば、撮像装置１００の情報処理装置２００への取付を検出する際には、ＮＦＣによるデータのやりとりを用いることができる。また、撮像装置１００および情報処理装置２００間の画像データや制御データのやりとりについては、Ｗｉ−Ｆｉを利用して行うことができる。
【００６３】
操作受付部１６０は、ユーザにより行われた操作を受け付ける操作受付部であり、受け付けられた操作内容に応じた制御情報（操作情報）を制御部１４０に出力する。なお、操作受付部１６０は、例えば、図１に示す操作部材１６１乃至１６３に対応する。
【００６４】
表示部１７０は、各種情報を表示するものである。なお、本技術の実施の形態では、撮像部１１０により生成された画像（ライブビュー画像）を撮像装置１００には表示せずに、情報処理装置２００に表示する例を示す。このため、表示部１７０は、比較的小さい表示パネル等とし、簡易的な表示（例えば、図１６のａ乃至ｃに示す表示）のみを行うことができる。
【００６５】
［情報処理装置の機能構成例］
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００６６】
姿勢検出部２１０は、情報処理装置２００の加速度、動き、傾き等を検出することにより情報処理装置２００の姿勢の変化を検出するものであり、検出された姿勢の変化に関する姿勢情報を制御部２５０に出力する。なお、姿勢検出部２１０として、例えば、ジャイロセンサ、加速度センサ等の各種センサを用いることができる。
【００６７】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２に示す操作部材２２１乃至２２３に対応する。
【００６８】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電波等を用いることができる。また、複数の無線通信方式を用いるようにしてもよい。
【００６９】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００７０】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００７１】
例えば、ユーザは表示部２４２に表示されている操作対象物等の接触操作（または、近接操作）を行うことにより情報処理装置２００や撮像装置１００の操作が可能となる。ここで、操作対象物は、例えば、図１７のｃに示す操作対象物４１１乃至４１７のように、入出力部２４０に表示されるものであり、操作入力を行うための操作ボタン（ＧＵＩ（Graphical User Interface）ボタン）等である。
【００７２】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面の表示態様を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。また、例えば、制御部２５０は、無線通信部２３０を介して情報処理装置２００および撮像装置１００が接続されている場合には、撮像装置１００に関する各種情報を表示する表示画面を入出力部２４０に表示させる。
【００７３】
また、例えば、制御部２５０は、情報処理装置２００および撮像装置１００の取付開始が検出されてから取付終了が検出されるまでの間、各装置のそれぞれが備える各操作部材のうちの少なくとも１つの操作部材のユーザ操作を無効とする制御を行う。例えば、制御部２５０は、情報処理装置２００および撮像装置１００のそれぞれについて取付開始が検出された場合に、そのユーザ操作を無効とする制御を行う。例えば、制御部２５０は、情報処理装置２００の入出力部２４０におけるタッチ操作、情報処理装置２００の操作部材２２１乃至２２３、撮像装置１００の操作部材１６１乃至１６３のうちの少なくとも１つのユーザ操作を無効とする制御を行う。この場合に、制御部２５０は、そのユーザ操作を無効とした旨をユーザに通知するための制御を行う。この通知例については、図１７に示す。また、例えば、制御部２５０は、その取付終了が検出された場合に、そのユーザ操作の無効を解除するための制御を行う。
【００７４】
画像処理部２６０は、制御部２５０の制御に基づいて、撮像装置１００により生成された画像や撮像部２９２（図２のａおよびｂに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００７５】
記憶部２７０は、制御部２５０の制御に基づいて、各情報を記憶する記録媒体である。例えば、記憶部２７０には、撮像装置１００により生成された画像や撮像部２９２（図２のａおよびｂに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００７６】
音声出力部２８０は、制御部２５０の制御に基づいて、音声情報を出力するものである。音声出力部２８０は、例えば、スピーカにより実現することができる。
【００７７】
［撮像装置および情報処理装置の使用例］
図４は、本技術の第１の実施の形態における撮像装置１００および情報処理装置２００の使用例を示す図である。
【００７８】
図４のａには、情報処理装置２００に撮像装置１００を取り付けて使用する場合の一例を示す。例えば、図２のａおよびｂに示すように、情報処理装置２００の一面（入出力部２４０が設けられている面の反対側の面）に撮像装置１００を取り付けることができる。この場合には、ユーザ１０は、撮像装置１００が取り付けられている情報処理装置２００を用いて、一般の撮像装置（例えば、一体型カメラ）を使用した撮影と略同様に撮影を行うことができる。
【００７９】
図４のｂには、情報処理装置２００に撮像装置１００を取り付けずに使用する場合の一例を示す。例えば、図４のｂに示すように、情報処理装置２００から離れている場所に撮像装置１００を設置することができる。この場合でも、ユーザ１０は、情報処理装置２００を用いて撮像装置１００を遠隔操作することができるため、撮像装置１００および情報処理装置２００を用いた撮影を行うことができる。
【００８０】
このように、ユーザ１０が、撮像装置１００および情報処理装置２００を用いて撮影を行う場合には、情報処理装置２００に撮像装置１００を取り付けて使用する場合と、情報処理装置２００に撮像装置１００を取り付けずに使用する場合とが想定される。このため、例えば、ユーザ１０は、情報処理装置２００に撮像装置１００を取り付けて使用した後に、情報処理装置２００から撮像装置１００を取り外して使用することが想定される。また、例えば、ユーザ１０は、情報処理装置２００から撮像装置１００を取り外して使用した後に、情報処理装置２００に撮像装置１００を取り付けて使用することも想定される。
【００８１】
このように、情報処理装置２００に撮像装置１００を取り付ける作業を行う場合や、情報処理装置２００から撮像装置１００を取り外す作業を行う場合には、その作業中に、各装置の操作部材を誤って触れてしまうことも想定される。このような場合には、その誤って触れた操作部材に対応する機能が起動してしまい、ユーザが意図しない動作を各装置が開始してしまうおそれがある。
【００８２】
そこで、本技術の第１の実施の形態では、撮像装置１００および情報処理装置２００の取付開始が検出されてから取付終了が検出されるまでの間、各装置の操作部材のユーザ操作を無効とする例を示す。また、本技術の第２の実施の形態では、撮像装置１００および情報処理装置２００の取外し開始が検出されてから取外し終了が検出されるまでの間、各装置の操作部材のユーザ操作を無効とする例を示す。これにより、撮像装置１００および情報処理装置２００の取付開始が検出されてから取付終了が検出されるまでの間、または、その取外し開始が検出されてから取外し終了が検出されるまでの間、誤操作を防止することができる。これにより、作業中の誤動作を防止することができる。
【００８３】
なお、本技術の実施の形態では、操作部材のユーザ操作の無効には、操作部材のユーザ操作を受け付けないこと、操作部材の受け付けを無効とすること、操作部材の受け付けをしないこと等の意味を含むものとする。
【００８４】
［ユーザ操作無効期間例］
図５は、本技術の第１の実施の形態における撮像装置１００および情報処理装置２００のユーザ操作を無効とする期間の一例（ユーザ操作無効期間３００、３１０）を示す図である。
【００８５】
図５のａには、撮像装置１００および情報処理装置２００の取付作業を行う場合におけるユーザ操作無効期間３００を示す。
【００８６】
例えば、撮像装置１００の情報処理装置２００への取付開始が検出されたタイミング（取付開始タイミング）で（３０１）、撮像装置１００および情報処理装置２００のそれぞれにおいて各操作部材のユーザ操作を無効とする制御が行われる。
【００８７】
また、例えば、撮像装置１００の情報処理装置２００への取付終了が検出されたタイミング（取付終了タイミング）で（３０２）、撮像装置１００および情報処理装置２００のそれぞれにおいて各操作部材のユーザ操作を有効とする制御が行われる。すなわち、各操作部材のユーザ操作の無効を解除するための制御が行われる。
【００８８】
ここで、取付開始タイミングは、撮像装置１００の情報処理装置２００への取付開始が検出された時点とすることができる。また、取付開始タイミングを、撮像装置１００の情報処理装置２００への取付開始が検出された時点の前後のタイミング（例えば、その時点の前後の０．０１秒の範囲）とするようにしてもよい。
【００８９】
同様に、取付終了タイミングは、撮像装置１００の情報処理装置２００への取付終了が検出された時点とすることができる。また、取付終了タイミングを、撮像装置１００の情報処理装置２００への取付終了が検出された時点の前後のタイミング（例えば、その時点の前後の０．０１秒の範囲）とするようにしてもよい。
【００９０】
図５のｂには、撮像装置１００および情報処理装置２００の取外し作業を行う場合におけるユーザ操作無効期間３１０を示す。
【００９１】
例えば、撮像装置１００および情報処理装置２００の取外し開始が検出されたタイミング（取外し開始タイミング）で（３１１）、撮像装置１００および情報処理装置２００のそれぞれにおいて各操作部材のユーザ操作を無効とする制御が行われる。
【００９２】
また、例えば、撮像装置１００および情報処理装置２００の取外し終了が検出されたタイミング（取外し終了タイミング）で（３１２）、撮像装置１００および情報処理装置２００のそれぞれにおいて各操作部材のユーザ操作を有効とする制御が行われる。すなわち、各操作部材のユーザ操作の無効を解除するための制御が行われる。
【００９３】
ここで、取外し開始タイミングは、撮像装置１００および情報処理装置２００の取外し開始が検出された時点とすることができる。また、取外し開始タイミングを、撮像装置１００および情報処理装置２００の取外し開始が検出された時点の前後のタイミング（例えば、その時点の前後の０．０１秒の範囲）とするようにしてもよい。
【００９４】
同様に、取外し終了タイミングは、撮像装置１００および情報処理装置２００の取外し終了が検出された時点とすることができる。また、取外し終了タイミングを、撮像装置１００および情報処理装置２００の取外し終了が検出された時点の前後のタイミング（例えば、その時点の前後の０．０１秒の範囲）とするようにしてもよい。
【００９５】
このように、本技術の第１の実施の形態では、取付開始タイミングから取付終了タイミングまでの期間（ユーザ操作無効期間３００）、撮像装置１００および情報処理装置２００のそれぞれにおいてユーザ操作を無効とする。そこで、以下では、取付開始タイミングおよび取付終了タイミングの検出例を示す。
【００９６】
［撮像装置の情報処理装置への取付開始の検出例］
最初に、撮像装置１００の情報処理装置２００への取付開始を検出する方法について説明する。
【００９７】
［近距離無線通信を用いて取付開始を検出する例］
例えば、近距離無線通信を用いて撮像装置１００の情報処理装置２００への取付開始を検出することができる。ここでは、近距離無線通信として、ＮＦＣ（Near Field Communication）を用いる例を示す。
【００９８】
例えば、ＮＦＣでは、装置間で定期的な通信が行われる。例えば、情報処理装置２００から定期的にＰｏｌｌｉｎｇ  Ｃｏｍｍａｎｄが発行される。このＰｏｌｌｉｎｇ  Ｃｏｍｍａｎｄは、ＮＦＣ規格で定められているＮＦＣ  Ｔａｇの判別用コマンドである（例えば、NFC Forum Type3 Tag Operation Specification NFC Forum-TS-Type-3-Tag_1.1参照。）。
【００９９】
例えば、定期的に発行されるＰｏｌｌｉｎｇ  Ｃｏｍｍａｎｄに対する応答（Ｐｏｌｌｉｎｇ  Ｒｅｓｐｏｎｃｅ）がある場合には、情報処理装置２００は、近接する装置が存在すると判断することができる。ここで、ＮＦＣを利用したデータ通信が可能となる距離は、数ｃｍ（例えば、１乃至１０ｃｍ）程度である。そこで、Ｐｏｌｌｉｎｇ  Ｒｅｓｐｏｎｃｅがある場合には、情報処理装置２００の制御部２５０は、撮像装置１００の情報処理装置２００への取付が開始されたと判断することができる。
【０１００】
また、Ｐｏｌｌｉｎｇ  Ｃｏｍｍａｎｄに対する応答（Ｐｏｌｌｉｎｇ  Ｒｅｓｐｏｎｃｅ）がない場合には、情報処理装置２００は、近接する装置が存在しないと判断することができる。この場合には、情報処理装置２００の制御部２５０は、撮像装置１００の情報処理装置２００への取付が開始されていないと判断することができる。
【０１０１】
ここで、ＮＦＣは、広く普及している。また、ＮＦＣは、スマートフォン等の情報処理装置に搭載されていることが多い。このため、ＮＦＣを搭載している情報処理装置の場合には、ＮＦＣを用いた取付開始の検出を行うことにより、その検出を行うためのハードウエアを新たに設ける必要がない。これにより、情報処理装置の製造コストを低減させることができる。
【０１０２】
ここで、例えば、撮像装置の情報処理装置への取付が開始されずに、撮像装置および情報処理装置が近接しているような場合も想定される。このような場合に、ＮＦＣ以外の近距離無線通信を利用して取付開始の検出をすると、撮像装置の情報処理装置への取付が開始されたと誤検出されてしまうおそれがある。そこで、本技術の実施の形態では、近距離無線通信としてＮＦＣを利用する。これにより、取付開始の検出精度を高めることができる。
【０１０３】
［Ｃｈｅｃｋ  ＣｏｍｍａｎｄおよびＣｈｅｃｋ  Ｒｅｓｐｏｎｃｅを用いて取付開始を検出する例］
以上では、ＮＦＣを用いて取付開始を検出する例を示した。このように、ＮＦＣを用いて取付開始を検出する場合には、Ｃｈｅｃｋ  ＣｏｍｍａｎｄおよびＣｈｅｃｋ  Ｒｅｓｐｏｎｃｅを用いて取付開始を検出するようにしてもよい。
【０１０４】
例えば、Ｃｈｅｃｋ  ＣｏｍｍａｎｄおよびＣｈｅｃｋ  Ｒｅｓｐｏｎｃｅのやりとりを行い、Ｃｈｅｃｋ  Ｒｅｓｐｏｎｃｅに特定情報が含まれている場合に、撮像装置１００の情報処理装置２００への取付が開始されたと判断することができる。ここで、特定情報は、撮像装置１００を特定するための情報（識別情報）である。また、ｃｈｅｃｋ  ｃｏｍｍａｎｄおよびｃｈｅｃｋ  ｒｅｓｐｏｎｓｅは、ＮＦＣ  ｔａｇの内容を読み出すためのコマンドである。このコマンドは、ＮＦＣ  Ｆｏｒｕｍ  Ｔｙｐｅ３  Ｔａｇ  Ｏｐｅｒａｔｉｏｎ  Ｓｐｅｃｉｆｉｃａｔｉｏｎに定義されている。
【０１０５】
例えば、上述したように、Ｐｏｌｌｉｎｇ  Ｃｏｍｍａｎｄの発行、Ｐｏｌｌｉｎｇ  Ｃｏｍｍａｎｄに対する応答（Ｐｏｌｌｉｎｇ  Ｒｅｓｐｏｎｃｅ）のやりとりが行われる。
【０１０６】
そして、Ｐｏｌｌｉｎｇ  Ｒｅｓｐｏｎｃｅを受信すると、情報処理装置２００の制御部２５０は、Ｃｈｅｃｋ  Ｃｏｍｍａｎｄを送信する。このＣｈｅｃｋ  Ｃｏｍｍａｎｄを受信すると、撮像装置１００の制御部１４０は、Ｃｈｅｃｋ  Ｃｏｍｍａｎｄに対する応答（Ｃｈｅｃｋ  Ｒｅｓｐｏｎｃｅ）を送信する。この場合に、撮像装置１００の制御部１４０は、特定情報（撮像装置１００を特定するための情報（識別情報））をＣｈｅｃｋ  Ｒｅｓｐｏｎｃｅに含めて送信する。
【０１０７】
例えば、「ＡＢＣ  ＤＳＣ／Ｌｅｎｓ−Ｓｔｙｌｅ  Ｃａｍｅｒａ」を表す情報を特定情報としてＣｈｅｃｋ  Ｒｅｓｐｏｎｃｅに含めて送信することができる。ここで、例えば、「ＡＢＣ」は、撮像装置１００を製造する会社名を示す情報であり、「ＤＳＣ」は、撮像装置である旨を示す情報であるものとする。また、「Ｌｅｎｓ−Ｓｔｙｌｅ  Ｃａｍｅｒａ」は、レンズスタイルのカメラである旨を示す情報であるものとする。
【０１０８】
このように、撮像装置１００の制御部１４０は、特定情報をＣｈｅｃｋ  Ｒｅｓｐｏｎｃｅに含めて送信する。これにより、Ｃｈｅｃｋ  Ｒｅｓｐｏｎｃｅを受信した情報処理装置２００は、Ｃｈｅｃｋ  Ｒｅｓｐｏｎｃｅに含まれる特定情報に基づいて、Ｃｈｅｃｋ  Ｒｅｓｐｏｎｃｅを送信した装置が撮像装置１００であることを把握することができる。すなわち、Ｃｈｅｃｋ  Ｒｅｓｐｏｎｃｅを送信した装置が、「ＡＢＣ」会社製のレンズスタイルのカメラ（撮像装置１００）であることを把握することができる。
【０１０９】
Ｃｈｅｃｋ  Ｒｅｓｐｏｎｃｅを受信すると、情報処理装置２００の制御部２５０は、Ｃｈｅｃｋ  Ｒｅｓｐｏｎｃｅの内容を取得する。続いて、情報処理装置２００の制御部２５０は、Ｃｈｅｃｋ  Ｒｅｓｐｏｎｃｅに特定情報が含まれているか否かを判断する。そして、情報処理装置２００の制御部２５０は、Ｃｈｅｃｋ  Ｒｅｓｐｏｎｃｅに特定情報が含まれている場合には、撮像装置１００の情報処理装置２００への取付が開始されたと判定する。一方、情報処理装置２００の制御部２５０は、Ｃｈｅｃｋ  Ｒｅｓｐｏｎｃｅに特定情報が含まれていない場合には、撮像装置１００の情報処理装置２００への取付が開始されていないと判定する。
【０１１０】
［受信電波強度を用いて取付開始を検出する例］
例えば、受信電波強度を用いて撮像装置１００および情報処理装置２００間の距離を推定することができる。例えば、受信電波強度と距離との関係を示すテーブルを予め作成しておき、記憶部２７０に記憶しておく。そして、情報処理装置２００の制御部２５０は、無線通信部２３０により取得された受信電波強度に対応する距離をそのテーブルから取得し、この距離を撮像装置１００および情報処理装置２００間の距離として用いることができる。また、情報処理装置２００の制御部２５０は、そのテーブルから取得された距離が閾値（例えば、１乃至１０ｃｍ）未満である場合には、撮像装置１００の情報処理装置２００への取付が開始されたと判断することができる。
【０１１１】
また、他のセンサを用いて、撮像装置１００および情報処理装置２００間の距離を検出するようにしてもよい。例えば、距離センサ（例えば、赤外線や超音波を用いて距離を検出するセンサ）を用いることができる。また、例えば、ＧＰＳ（Global Positioning System）を用いて撮像装置１００および情報処理装置２００間の距離を検出するようにしてもよい。例えば、ＧＰＳを用いて撮像装置１００および情報処理装置２００のそれぞれの位置を取得し、これらの位置に基づいて撮像装置１００および情報処理装置２００間の距離を算出することができる。また、情報処理装置２００の制御部２５０は、その算出された距離が閾値（例えば、１乃至１０ｃｍ）未満である場合には、撮像装置１００の情報処理装置２００への取付が開始されたと判断することができる。
【０１１２】
以上では、情報処理装置２００の制御部２５０が、撮像装置１００の情報処理装置２００への取付開始を検出する例を示した。ただし、撮像装置１００の制御部１４０が、撮像装置１００の情報処理装置２００への取付開始を検出する場合についても同様に検出することができる。
【０１１３】
［取付開始を検出するための部材を用いる例］
例えば、撮像装置１００の情報処理装置２００への取付開始を検出するための部材を用いて、その取付開始を検出することができる。その部材として、例えば、撮像装置１００および情報処理装置２００の少なくとも一方に取付開始ボタンを設けることができる。
【０１１４】
［一方の装置にのみ取付開始ボタンを設ける例］
例えば、撮像装置１００のみに取付開始ボタン（例えば、図８のｂに示す操作部材１６４）を設ける場合を想定する。この場合には、ユーザは、撮像装置１００の情報処理装置２００への取付を開始する際に、その取付開始ボタンを押下する。このように、取付開始ボタンが押下された場合には、撮像装置１００の情報処理装置２００への取付が開始された旨を示す情報が制御部１４０に出力される。そして、その取付開始された旨を示す情報を取得した場合には、制御部１４０は、撮像装置１００の情報処理装置２００への取付開始を検出することができる。また、制御部１４０は、その旨を無線通信部１５０を介して情報処理装置２００に送信する。これにより、情報処理装置２００の制御部２５０は、撮像装置１００の情報処理装置２００への取付開始を検出することができる。
【０１１５】
また、例えば、情報処理装置２００のみに取付開始ボタン（例えば、図８のａに示す操作部材２２４）を設ける場合を想定する。この場合についても同様に、ユーザは、撮像装置１００の情報処理装置２００への取付を開始する際に、その取付開始ボタンを押下する。このように、取付開始ボタンが押下された場合には、撮像装置１００の情報処理装置２００への取付が開始された旨を示す情報が制御部２５０に出力される。そして、その取付開始された旨を示す情報を取得した場合には、制御部２５０は、撮像装置１００の情報処理装置２００への取付開始を検出することができる。また、制御部２５０は、その旨を無線通信部２３０を介して撮像装置１００に送信する。これにより、撮像装置１００の制御部１４０は、撮像装置１００の情報処理装置２００への取付開始を検出することができる。
【０１１６】
［双方の装置に取付開始ボタンを設ける例］
例えば、撮像装置１００および情報処理装置２００の双方に取付開始ボタンを設ける場合を想定する。この場合には、ユーザは、撮像装置１００の情報処理装置２００への取付を開始する際に、それらの各取付開始ボタンを押下する。このように、撮像装置１００の取付開始ボタンが押下された場合には、撮像装置１００の情報処理装置２００への取付が開始された旨を示す情報が制御部１４０に出力される。そして、その取付開始された旨を示す情報を取得した場合には、制御部１４０は、撮像装置１００の情報処理装置２００への取付開始を検出することができる。同様に、情報処理装置２００の取付開始ボタンが押下された場合には、撮像装置１００の情報処理装置２００への取付が開始された旨を示す情報が制御部２５０に出力される。そして、その取付開始された旨を示す情報を取得した場合には、制御部２５０は、撮像装置１００の情報処理装置２００への取付開始を検出することができる。このように、撮像装置１００および情報処理装置２００の双方に取付開始ボタンを設ける場合には、各装置内で、撮像装置１００の情報処理装置２００への取付開始を検出することができる。
【０１１７】
なお、撮像装置１００および情報処理装置２００の双方に取付開始ボタンを設ける場合でも、他の装置において取付開始ボタンが押下されたか否かを問い合わせるためのやりとりを行い、この問合せ結果に基づいて取付開始を検出するようにしてもよい。すなわち、双方の装置において取付開始ボタンが押下されたことを条件に、取付が開始されたことを検出するようにしてもよい。
【０１１８】
また、取付開始を検出するための部材として、取付開始ボタンを設けずに、他の操作部材を用いるようにしてもよい。例えば、撮像装置１００および情報処理装置２００に設けられているシャッターボタンやタッチパネル（入出力部２４０）等を用いることができる。例えば、情報処理装置２００のシャッターボタンの所定操作（例えば、１秒間に３回の押下操作）を、情報処理装置２００の取付開始を検出するための操作とすることができる。また、例えば、情報処理装置２００の入出力部２４０に取付開始ボタンを表示させ、この取付開始ボタンの押下操作を、情報処理装置２００の取付開始を検出するための操作とすることができる。また、例えば、情報処理装置２００の入出力部２４０に、撮像装置１００のアプリケーションを起動させるための操作対象物（アイコン）を表示させ、この操作対象物の押下操作を、情報処理装置２００の取付開始を検出するための操作とすることができる。また、複雑な操作を条件とするようにしてもよい。例えば、情報処理装置２００の入出力部２４０において所定ボタンの押下操作を行った後に、シャッターボタンの所定操作（例えば、１秒間に３回の押下操作）を行う操作を、情報処理装置２００の取付開始を検出するための操作とすることができる。
【０１１９】
また、例えば、撮像装置１００の取付部材１９１、１９２に、他の装置に取り付けた場合に押下されるスイッチを設け、このスイッチを、取付開始を検出するための部材として用いることができる。例えば、撮像装置１００の情報処理装置２００への取付が開始された場合には、取付部材１９１、１９２に設けられているスイッチが押下されるため、その取付開始を検出することができる。
【０１２０】
なお、上述した取付開始の検出方法は、一例であり、これらに限定されるものではなく、他の検出方法を用いるようにしてもよい。
【０１２１】
［ＮＦＣを用いて取付開始を検出する場合の動作例］
ここでは、近距離無線通信としてＮＦＣを用いて取付開始を検出する動作例について説明する。
【０１２２】
図６は、本技術の第１の実施の形態における撮像装置１００および情報処理装置２００を示す外観図である。図６のａには、情報処理装置２００の外観を示し、図６のｂには、撮像装置１００の外観を示す。
【０１２３】
なお、図６のａに示す情報処理装置２００は、図２のａおよびｂに示す情報処理装置２００において、ＮＦＣを行うためのアンテナが、点線の矩形２３１で囲まれている部分に設けられているものとする。また、図６のｂに示す撮像装置１００は、図１のａおよびｂに示す撮像装置１００において、ＮＦＣを行うためのアンテナが、点線の矩形１５１で囲まれている部分に設けられているものとする。
【０１２４】
上述したように、ＮＦＣを利用したデータ通信が可能となる距離は、数ｃｍ（例えば、１乃至１０ｃｍ）程度である。このため、ユーザは、撮像装置１００および情報処理装置２００間においてＮＦＣを利用したデータ通信を行わせるためには、撮像装置１００のアンテナ部分と、情報処理装置２００のアンテナ部分とを接触（または、近接）させる必要がある。すなわち、図６のｂに示す撮像装置１００のアンテナ部分（点線の矩形１５１で囲まれている部分）と、図６のａに示す情報処理装置２００のアンテナ部分（点線の矩形２３１で囲まれている部分）とを接触（または、近接）させる必要がある。なお、図７では、その接触操作（または、近接操作）をＮＦＣタッチと称して説明する。
【０１２５】
図７は、本技術の第１の実施の形態における情報処理装置２００による取付開始検出処理の処理手順の一例を示すフローチャートである。
【０１２６】
最初に、制御部２５０は、撮像装置１００のＮＦＣタッチが検出されたか否かを判断する（ステップＳ９０１）。そして、撮像装置１００のＮＦＣタッチが検出されていない場合には（ステップＳ９０１）、監視を継続して行う。
【０１２７】
また、撮像装置１００のＮＦＣタッチが検出された場合には（ステップＳ９０１）、制御部２５０は、撮像装置１００の情報処理装置２００への取付が開始されたと判断する（ステップＳ９０２）。すなわち、撮像装置１００のＮＦＣタッチが検出されることにより、撮像装置１００の情報処理装置２００への取付開始が検出される。
【０１２８】
なお、図７では、情報処理装置２００による取付開始検出処理の処理手順を示したが、撮像装置１００による取付開始検出処理の処理手順についても同様とすることができる。
【０１２９】
［取付開始ボタンを用いて取付開始を検出する場合の動作例］
ここでは、取付開始ボタンを用いて取付開始を検出する動作例について説明する。
【０１３０】
図８は、本技術の第１の実施の形態における撮像装置１００および情報処理装置２００を示す外観図である。図８のａには、情報処理装置２００の外観を示し、図８のｂには、撮像装置１００の外観を示す。
【０１３１】
なお、図８のａに示す情報処理装置２００は、図２のａおよびｂに示す情報処理装置２００において、取付開始ボタンとしての操作部材２２４を設けたものとする。また、図８のｂに示す撮像装置１００は、図１のａおよびｂに示す撮像装置１００において、取付開始ボタンとしての操作部材１６４を設けたものとする。
【０１３２】
なお、図８のａに示す操作部材２２４の取付位置は、一例であり、情報処理装置２００における他の位置に操作部材２２４を設けるようにしてもよい。また、図８のｂに示す操作部材１６４の取付位置は、一例であり、撮像装置１００における他の位置に操作部材１６４を設けるようにしてもよい。
【０１３３】
図９は、本技術の第１の実施の形態における情報処理装置２００による取付開始検出処理の処理手順の一例を示すフローチャートである。
【０１３４】
最初に、制御部２５０は、操作部材２２４が押下されたか否かを判断する（ステップＳ９０５）。そして、操作部材２２４が押下されていない場合には（ステップＳ９０５）、監視を継続して行う。
【０１３５】
また、操作部材２２４が押下された場合には（ステップＳ９０５）、制御部２５０は、撮像装置１００の情報処理装置２００への取付が開始されたと判断する（ステップＳ９０６）。すなわち、操作部材２２４が押下されることにより、撮像装置１００の情報処理装置２００への取付開始が検出される。
【０１３６】
なお、図９では、情報処理装置２００による取付開始検出処理の処理手順を示したが、撮像装置１００による取付開始検出処理（操作部材１６４を用いた取付開始検出処理）の処理手順についても同様とすることができる。
【０１３７】
このように、情報処理装置２００の制御部２５０は、操作部材を用いた操作入力と、近距離無線通信を用いた近接装置の検出と、受信電波強度を用いた近接装置の検出とのうちの少なくとも１つに基づいて取付開始を検出することができる。また、撮像装置１００の制御部１４０は、操作部材を用いた操作入力と、近距離無線通信を用いた近接装置の検出と、受信電波強度を用いた近接装置の検出とのうちの少なくとも１つに基づいて取付開始を検出することができる。
【０１３８】
［一方の装置により取付開始を検出して他方の装置にその旨を通知する場合の動作例］
以上では、各装置のそれぞれが取付開始を検出する例を示した。ただし、例えば、一方の装置のみが取付開始を検出して他方の装置にその旨を通知するようにしてもよい。これにより、他方の装置には、取付開始を検出するための機能を備えなくてもよい。
【０１３９】
図１０は、本技術の第１の実施の形態における撮像装置１００および情報処理装置２００による取付開始検出処理の処理手順の一例を示すフローチャートである。なお、図１０では、撮像装置１００および情報処理装置２００間における無線通信が可能な状態である場合における動作例を示す。
【０１４０】
図１０のａには、取付開始を検出する装置の動作例を示す。この例では、取付開始を検出する装置を情報処理装置２００とする例を示す。また、この例では、取付開始ボタン（例えば、図８のａに示す操作部材２２４）を用いて取付開始を検出する場合の動作例を示す。
【０１４１】
なお、ステップＳ９１１、Ｓ９１２の各処理については、図９に示すステップＳ９０５、Ｓ９０６の各処理に対応するため、ここでの説明を省略する。
【０１４２】
撮像装置１００の情報処理装置２００への取付開始が検出された場合には（ステップＳ９１２）、制御部２５０は、その取付開始を検出した旨を通知するための情報（取付開始通知）を撮像装置１００に送信する（ステップＳ９１３）。
【０１４３】
図１０のｂには、取付開始通知を受信する装置の動作例を示す。この例では、取付開始通知を受信する装置を撮像装置１００とする例を示す。
【０１４４】
最初に、制御部１４０は、取付開始通知を受信したか否かを判断する（ステップＳ９１４）。そして、取付開始通知を受信していない場合には（ステップＳ９１４）、監視を継続して行う。
【０１４５】
また、取付開始通知を受信した場合には（ステップＳ９１４）、制御部１４０は、撮像装置１００の情報処理装置２００への取付が開始されたと判断する（ステップＳ９１５）。すなわち、取付開始通知を受信することにより、撮像装置１００の情報処理装置２００への取付開始が検出される。
【０１４６】
このように、情報処理装置２００の制御部２５０は、取付開始が検出された場合には、その取付開始が検出された旨の通知情報（取付開始通知）を撮像装置１００に送信するための制御を行う。また、情報処理装置２００の制御部２５０は、その取付開始が検出された場合に、情報処理装置２００が備える各操作部材のうちの少なくとも１つの操作部材のユーザ操作を無効とする制御を行う。また、その通知情報（取付開始通知）を受信した場合に、撮像装置１００の制御部１４０は、撮像装置１００が備える各操作部材のうちの少なくとも１つの操作部材のユーザ操作を無効とする制御を行う。
【０１４７】
同様に、撮像装置１００の制御部１４０は、取付開始が検出された場合には、その取付開始が検出された旨の通知情報（取付開始通知）を情報処理装置２００に送信するための制御を行う。また、撮像装置１００の制御部１４０は、その取付開始が検出された場合に、撮像装置１００が備える各操作部材のうちの少なくとも１つの操作部材のユーザ操作を無効とする制御を行う。また、その通知情報（取付開始通知）を受信した場合に、情報処理装置２００の制御部２５０は、情報処理装置２００が備える各操作部材のうちの少なくとも１つの操作部材のユーザ操作を無効とする制御を行う。
【０１４８】
また、情報処理装置２００の制御部２５０は、上述した各検出（操作部材、近距離無線通信、受信電波強度を用いた検出）と、撮像装置１００からの取付開始通知とのうちの少なくとも１つに基づいて、取付開始を検出することができる。同様に、撮像装置１００の制御部１４０は、上述した各検出（操作部材、近距離無線通信、受信電波強度を用いた検出）と、情報処理装置２００からの取付開始通知とのうちの少なくとも１つに基づいて、取付開始を検出することができる。
【０１４９】
［撮像装置の情報処理装置への取付終了の検出例］
次に、撮像装置１００の情報処理装置２００への取付終了を検出する方法について説明する。
【０１５０】
図１１は、本技術の第１の実施の形態における撮像装置１００および情報処理装置２００による取付終了検出処理の処理手順の一例を示すフローチャートである。
【０１５１】
図１１のａには、タイマを用いて取付終了を検出する場合の動作例を示す。この例では、情報処理装置２００による動作例を示す。図１１のｂには、取付終了ボタンを用いて取付終了を検出する場合の動作例を示す。この例では、情報処理装置２００による動作例を示す。
【０１５２】
［タイマを用いて取付終了を検出する場合の動作例］
ここでは、タイマを用いて取付終了を検出する動作例について説明する。
【０１５３】
例えば、撮像装置１００の情報処理装置２００への取付は、比較的簡易的な作業であるため、その取付が開始されてから一定時間以内に、その取付作業が終了することが想定される。そこで、撮像装置１００の情報処理装置２００への取付開始が検出されてから一定時間が経過した後に、取付終了と推定することができる。ここで、一定時間は、例えば、５乃至３０秒程度とすることができる。好ましくは、例えば、１０秒程度とすることができる。なお、この取付終了を検出するための一定時間については、装置毎に予め設定しておくようにしてもよく、ユーザの好みに応じて設定可能とするようにしてもよい。
【０１５４】
次に、図１１のａを参照してタイマを用いて取付終了を検出する場合の動作例について説明する。
【０１５５】
最初に、制御部２５０は、取付開始が検出されてから一定時間が経過したか否かを判断する（ステップＳ９２１）。そして、取付開始が検出されてから一定時間が経過していない場合には（ステップＳ９２１）、監視を継続して行う。
【０１５６】
また、取付開始が検出されてから一定時間が経過した場合には（ステップＳ９２１）、制御部２５０は、撮像装置１００の情報処理装置２００への取付が終了したと判断する（ステップＳ９２２）。すなわち、撮像装置１００の情報処理装置２００への取付開始が検出されてから一定時間が経過した後に、その取付終了が検出される。
【０１５７】
なお、図１１のａでは、情報処理装置２００による取付終了検出処理の処理手順を示したが、撮像装置１００による取付終了検出処理の処理手順についても同様とすることができる。
【０１５８】
なお、タイマを用いて取付終了を検出する場合には、その検出をユーザが把握することができないことも想定される。そこで、タイマを用いて取付終了を検出する場合には、取付開始が検出されてから一定時間が経過したタイミングで、その旨をユーザに通知するようにしてもよい。例えば、その旨のメッセージの入出力部２４０への表示や、その旨のメッセージの音声出力により通知することができる。
【０１５９】
［取付開始ボタンを用いて終了開始を検出する場合の動作例］
ここでは、取付終了ボタンを用いて取付終了を検出する動作例について説明する。
【０１６０】
なお、取付終了ボタンは、取付開始ボタンと異なる操作部材として各装置に設けるようにしてもよく、取付終了ボタンおよび取付開始ボタンを同一の操作部材として各装置に設けるようにしてもよい。
【０１６１】
例えば、取付終了ボタンおよび取付開始ボタンを同一の操作部材とする場合には、図８のａに示す操作部材２２４を、情報処理装置２００の取付終了ボタンとして用いることができる。同様に、例えば、取付終了ボタンおよび取付開始ボタンを同一の操作部材とする場合には、図８のｂに示す操作部材１６４を、撮像装置１００の取付終了ボタンとして用いることができる。
【０１６２】
このように、取付終了ボタンおよび取付開始ボタンを同一の操作部材として用いる場合には、例えば、最初のボタン押下操作を取付開始を検出するための操作とし、次のボタン押下操作を取付終了を検出するための操作として判断するようにする。
【０１６３】
また、取付終了ボタンを、取付開始ボタンと異なる操作部材として情報処理装置２００に設ける場合には、例えば、図８のａに示す操作部材２２４の隣部分に、取付終了ボタンを設けることができる。同様に、取付終了ボタンを、取付開始ボタンと異なる操作部材として撮像装置１００に設ける場合には、例えば、図８のｂに示す操作部材１６４の隣部分に、取付終了ボタンを設けることができる。
【０１６４】
なお、これらの取付終了ボタンの取付位置は、一例であり、他の位置に取付終了ボタンを設けるようにしてもよい。
【０１６５】
また、取付終了ボタンについては、取付終了を検出するための操作入力を受け付ける必要があるため、ユーザ操作無効期間中であっても、その操作は無効とせずに、有効とする。このため、取付終了ボタンについては、ユーザにより触れられる可能性が低い場所に設置することが好ましい。
【０１６６】
次に、図１１のｂを参照して取付終了ボタンを用いて取付終了を検出する場合の動作例について説明する。
【０１６７】
最初に、制御部２５０は、取付終了ボタンが押下されたか否かを判断する（ステップＳ９２５）。そして、取付終了ボタンが押下されていない場合には（ステップＳ９２５）、監視を継続して行う。
【０１６８】
また、取付終了ボタンが押下された場合には（ステップＳ９２５）、制御部２５０は、撮像装置１００の情報処理装置２００への取付が終了したと判断する（ステップＳ９２６）。すなわち、取付終了ボタンが押下されることにより、撮像装置１００の情報処理装置２００への取付終了が検出される。
【０１６９】
なお、図１１のｂでは、情報処理装置２００による取付終了検出処理の処理手順を示したが、撮像装置１００による取付終了検出処理の処理手順についても同様とすることができる。
【０１７０】
［一方の装置により取付終了を検出して他方の装置にその旨を通知する場合の動作例］
以上では、各装置のそれぞれが取付終了を検出する例を示した。ただし、例えば、一方の装置のみが取付終了を検出して他方の装置にその旨を通知するようにしてもよい。これにより、他方の装置には、取付終了を検出するための機能を備えなくてもよい。
【０１７１】
図１２は、本技術の第１の実施の形態における撮像装置１００および情報処理装置２００による取付終了検出処理の処理手順の一例を示すフローチャートである。なお、図１２では、撮像装置１００および情報処理装置２００間における無線通信が可能な状態である場合における動作例を示す。
【０１７２】
図１２のａには、取付終了を検出する装置の動作例を示す。この例では、取付終了を検出する装置を情報処理装置２００とする例を示す。また、この例では、取付終了ボタンを用いて取付終了を検出する場合の動作例を示す。
【０１７３】
なお、ステップＳ９３１、Ｓ９３２の各処理については、図１１のｂに示すステップＳ９２５、Ｓ９２６の各処理に対応するため、ここでの説明を省略する。
【０１７４】
撮像装置１００の情報処理装置２００への取付終了が検出された場合には（ステップＳ９３２）、制御部２５０は、その取付終了を検出した旨を通知するための情報（取付終了通知）を撮像装置１００に送信する（ステップＳ９３３）。
【０１７５】
図１２のｂには、取付終了通知を受信する装置の動作例を示す。この例では、取付終了通知を受信する装置を撮像装置１００とする例を示す。
【０１７６】
最初に、制御部１４０は、取付終了通知を受信したか否かを判断する（ステップＳ９３４）。そして、取付終了通知を受信していない場合には（ステップＳ９３４）、監視を継続して行う。
【０１７７】
また、取付終了通知を受信した場合には（ステップＳ９３４）、制御部１４０は、撮像装置１００の情報処理装置２００への取付が終了したと判断する（ステップＳ９３５）。すなわち、取付終了通知を受信することにより、撮像装置１００の情報処理装置２００への取付終了が検出される。
【０１７８】
［複雑な操作により取付終了を検出する例］
以上では、タイマにより取付終了を自動で検出する例や、簡易的な操作（取付終了ボタンの押下操作）により取付終了を検出する例を示した。ここでは、撮像装置１００および情報処理装置２００に設けられている操作部材を用いて取付終了を検出する例を示す。ただし、これらの操作部材について簡易的な操作により取付終了を検出すると、誤操作となってしまうおそれがある。そこで、撮像装置１００および情報処理装置２００に設けられている操作部材を用いて取付終了を検出する場合には、複雑な操作により取付終了を検出するものとする。
【０１７９】
［情報処理装置における特定パターンをなぞる操作により取付終了を検出する例］
図１３は、本技術の第１の実施の形態における情報処理装置２００の入出力部２４０に表示される表示画面（特定パターン画面４００）の一例を示す図である。
【０１８０】
特定パターン画面４００は、例えば、取付開始が検出された直後に表示される表示画面である。例えば、特定パターン画面４００に表示される９の丸のうち、特定パターンに対応する丸を所定の順序でなぞることにより、取付終了を検出することができる。例えば、矢印４０１に示すように、複雑になぞる必要があるパターンが特定パターンとして用いられる。なお、特定パターンについては、そのなぞる順序を特定パターン画面４００に表示しておくことができる。
【０１８１】
また、取付開始が検出された後には、上述したように、ユーザ操作を無効とするが、特定パターン画面４００における特定パターンに対応するなぞる操作については、その受け付けを有効とする。
【０１８２】
図１４は、本技術の第１の実施の形態における撮像装置１００および情報処理装置２００による取付終了検出処理の処理手順の一例を示すフローチャートである。なお、図１４では、撮像装置１００および情報処理装置２００間における無線通信が可能な状態である場合における動作例を示す。
【０１８３】
図１４のａには、情報処理装置２００の動作例を示す。この例では、特定パターンをなぞる操作により取付終了を検出する場合の動作例を示す。また、入出力部２４０には、特定パターン画面（例えば、図１３に示す特定パターン画面４００）が表示されているものとする。
【０１８４】
最初に、制御部２５０は、入出力部２４０における表示面において特定パターンをなぞる操作が行われたか否かを判断する（ステップＳ９４１）。そして、特定パターンをなぞる操作が行われていない場合には（ステップＳ９４１）、監視を継続して行う。
【０１８５】
また、特定パターンをなぞる操作が行われた場合には（ステップＳ９４１）、制御部２５０は、撮像装置１００の情報処理装置２００への取付が終了したと判断する（ステップＳ９４２）。すなわち、特定パターンをなぞる操作が行われることにより、撮像装置１００の情報処理装置２００への取付終了が検出される。
【０１８６】
撮像装置１００の情報処理装置２００への取付終了が検出された場合には（ステップＳ９４２）、制御部２５０は、その取付終了を検出した旨を通知するための情報（取付終了通知）を撮像装置１００に送信する（ステップＳ９４３）。
【０１８７】
図１４のｂには、撮像装置１００の動作例を示す。なお、ステップＳ９４４、Ｓ９４５の各処理については、図１２のｂに示すステップＳ９３４、Ｓ９３５の各処理に対応するため、ここでの説明を省略する。
【０１８８】
［撮像装置におけるシャッターボタンの複数回の押下操作により取付終了を検出する例］
次に、撮像装置１００に設けられている操作部材を用いて取付終了を検出する例を示す。ここでは、撮像装置１００に設けられているシャッターボタン（図１のｂに示す操作部材１６１）を用いて取付終了を検出する例を示す。
【０１８９】
例えば、ユーザは、撮像装置１００の情報処理装置２００への取付が終了した場合には、撮像装置１００に設けられているシャッターボタン（図１のｂに示す操作部材１６１）を所定時間内に所定回だけ押下する。これにより、取付終了を検出することができる。例えば、シャッターボタン（図１のｂに示す操作部材１６１）を１秒以内に３回連続して押下することにより、取付終了を検出することができる。
【０１９０】
また、取付開始が検出された後には、上述したように、ユーザ操作を無効とするが、シャッターボタン（図１のｂに示す操作部材１６１）の連続操作については、その受け付けを有効とする。
【０１９１】
図１５は、本技術の第１の実施の形態における撮像装置１００および情報処理装置２００による取付終了検出処理の処理手順の一例を示すフローチャートである。なお、図１５に示す例では、撮像装置１００および情報処理装置２００間における無線通信が可能な状態である場合における動作例を示す。
【０１９２】
図１５のａには、撮像装置１００の動作例を示す。この例では、シャッターボタン（図１のｂに示す操作部材１６１）を所定時間内に複数回だけ押下することにより取付終了を検出する場合の動作例を示す。
【０１９３】
最初に、制御部１４０は、シャッターボタン（図１のｂに示す操作部材１６１）を所定時間内に所定回押下する操作が行われたか否かを判断する（ステップＳ９５１）。そして、その押下操作が行われていない場合には（ステップＳ９５１）、監視を継続して行う。
【０１９４】
また、シャッターボタンを所定時間内に所定回押下する操作が行われた場合には（ステップＳ９５１）、制御部１４０は、撮像装置１００の情報処理装置２００への取付が終了したと判断する（ステップＳ９５２）。すなわち、シャッターボタンを所定時間内に所定回押下する操作が行われることにより、撮像装置１００の情報処理装置２００への取付終了が検出される。
【０１９５】
撮像装置１００の情報処理装置２００への取付終了が検出された場合には（ステップＳ９５２）、制御部１４０は、その取付終了を検出した旨を通知するための情報（取付終了通知）を情報処理装置２００に送信する（ステップＳ９５３）。
【０１９６】
図１５のｂには、情報処理装置２００の動作例を示す。
【０１９７】
最初に、制御部２５０は、取付終了通知を受信したか否かを判断する（ステップＳ９５４）。そして、取付終了通知を受信していない場合には（ステップＳ９５４）、監視を継続して行う。
【０１９８】
また、取付終了通知を受信した場合には（ステップＳ９５４）、制御部２５０は、撮像装置１００の情報処理装置２００への取付が終了したと判断する（ステップＳ９５５）。すなわち、取付終了通知を受信することにより、撮像装置１００の情報処理装置２００への取付終了が検出される。
【０１９９】
なお、この例では、シャッターボタンを所定時間内に所定回だけ押下する操作が行われたか否かを判断する例を示したが、シャッターボタンを所定時間内に所定回以上押下する操作が行われたか否かを判断するようにしてもよい。
【０２００】
このように、情報処理装置２００の制御部２５０は、取付開始の検出時からの経過時間と、操作部材を用いた操作入力と、撮像装置１００からの取付終了通知とのうちの少なくとも１つに基づいて、取付終了を検出することができる。同様に、撮像装置１００の制御部１４０は、取付開始の検出時からの経過時間と、操作部材を用いた操作入力と、情報処理装置２００からの取付終了通知とのうちの少なくとも１つに基づいて、取付終了を検出することができる。
【０２０１】
［ユーザ操作無効期間中の通知例］
図５のａに示すように、取付開始が検出されてから取付終了が検出されるまでの期間（ユーザ操作無効期間３００）は、ユーザ操作の一部または全部が無効となる。しかしながら、ユーザ操作の一部または全部が無効となっていることを把握していないユーザも想定される。そこで、ユーザ操作無効期間においては、ユーザ操作の一部または全部が無効である旨をユーザに通知するようにする。そこで、以下では、ユーザ操作無効期間中の通知例について説明する。
【０２０２】
［撮像装置による通知例］
図１６は、本技術の第１の実施の形態における撮像装置１００によりユーザ操作無効期間中の通知を行う場合の遷移例を示す図である。
【０２０３】
図１６のａには、取付開始が検出される前の撮像装置１００の外観を示す。また、図１６のｂには、取付開始が検出されてから取付終了が検出されるまでの間の撮像装置１００の外観を示す。図１６のｃには、取付終了が検出された後の撮像装置１００の外観を示す。
【０２０４】
なお、図１６のａ乃至ｃに示す撮像装置１００は、図１のａおよびｂに示す撮像装置１００において、ＬＥＤ（Light Emitting Diode）１８１を設けたものとする。また、図１６のａ乃至ｃに示す撮像装置１００は、図１のａおよびｂに示す撮像装置１００において、表示部１７０を設けたものとする。
【０２０５】
ＬＥＤ１８１は、図３に示す制御部１４０の制御に基づいて、点灯、点滅、消灯が制御される。
【０２０６】
例えば、図１６のａに示すように、取付開始が検出される前の状態では、ＬＥＤ１８１を消灯（図１６のａでは、白色で示す。）させる。また、図１６のｂに示すように、ユーザ操作無効期間中には、ＬＥＤ１８１を点滅表示させる。また、図１６のｃに示すように、取付終了が検出された後には、ＬＥＤ１８１を点灯（図１６のｃでは、グレーで示す。）させる。
【０２０７】
また、表示部１７０には、通常時には、上述したように、撮像装置１００に関する各情報（例えば、バッテリ残量を確認するための情報）が表示される。このため、例えば、図１６のａに示すように、取付開始が検出される前の状態では、表示部１７０には、撮像装置１００に関する各情報が表示される。また、図１６のｂに示すように、ユーザ操作無効期間中には、その旨を通知するための情報が表示部１７０に表示される。また、図１６のｃに示すように、取付終了が検出された後には、通常時と同様に、表示部１７０には、撮像装置１００に関する各情報が表示される。
【０２０８】
［情報処理装置による通知例］
図１７は、本技術の第１の実施の形態における情報処理装置２００によりユーザ操作無効期間中の通知を行う場合の遷移例を示す図である。
【０２０９】
図１７のａには、取付開始が検出される前の情報処理装置２００の外観を示す。また、図１７のｂには、取付開始が検出されてから取付終了が検出されるまでの間の情報処理装置２００の外観を示す。図１７のｃには、取付終了が検出された後の情報処理装置２００の外観を示す。なお、図１７のａ乃至ｃでは、取付開始が検出される前の状態では、撮像装置１００および情報処理装置２００を用いた撮像動作が行われていないものとする。
【０２１０】
例えば、図１７のａに示すように、取付開始が検出される前の状態では、入出力部２４０には、通常時の表示がされる。また、図１７のｂに示すように、ユーザ操作無効期間中には、その旨のメッセージが入出力部２４０に表示される。ただし、特定パターンをなぞる操作により取付終了を検出する場合には、ユーザ操作無効期間中である旨のメッセージとともに、特定パターン画面（例えば、図１３に示す特定パターン画面４００）が表示される
【０２１１】
また、図１７のｃに示すように、取付終了が検出された後には、撮像動作に関する各情報が入出力部２４０に表示される。
【０２１２】
例えば、撮像装置１００および情報処理装置２００を用いた撮像動作が行われている場合に、撮像装置１００の撮像部１１０により生成された画像がライブビュー画像として入出力部２４０に表示される。すなわち、撮像装置１００の撮像部１１０により生成された画像が、無線通信部１５０、２３０を介して、情報処理装置２００に順次送信され、その画像がライブビュー画像として入出力部２４０に表示される。なお、撮像装置１００および情報処理装置２００間の画像データや制御データのやりとりについては、Ｗｉ−Ｆｉを利用して行うことができる。また、図１７のｃでは、山を被写体とする画像をライブビュー画像４１０として表示する例を示す。
【０２１３】
また、図１７のｃでは、撮像装置１００および情報処理装置２００を用いた撮像動作が行われている場合に、撮像装置１００を操作するための操作対象物を入出力部２４０に表示する例を示す。この操作対象物は、例えば、ライブビュー画像の周り、または、ライブビュー画像に重ねて入出力部２４０に表示される。
【０２１４】
また、図１７のｃでは、ライブビュー画像４１０が表示され、ライブビュー画像４１０の両側に複数の操作対象物４１１乃至４１４が表示され、ライブビュー画像４１０に重ねて複数の操作対象物４１５乃至４１７が表示される例を示す。なお、図１７のｃでは、ユーザが右利きであることを想定して説明する。
【０２１５】
なお、操作対象物４１１は、撮像装置１００の撮影モードを切り替える際に押下される操作対象物である。また、操作対象物４１２は、撮像装置１００のシャッター操作を行う際に押下される操作対象物である。また、操作対象物４１３は、撮像装置１００の各種の設定操作を行う際に押下される操作対象物である。また、操作対象物４１４は、画像の再生を行う際に押下される操作対象物である。また、操作対象物４１５、４１６は、撮像装置１００の各種の設定情報を表示して各設定を変更するための操作対象物である。
【０２１６】
また、操作対象物４１７は、撮像装置１００のズーム操作を行うための操作対象物である。例えば、操作対象物４１７として、Ｗ（ワイド）ボタン（ワイド側ボタン）およびＴ（テレ）ボタン（テレ側ボタン）が表示される。例えば、ＷボタンまたはＴボタンについてユーザ操作が行われた場合には、制御部２５０は、そのユーザ操作に応じた制御情報を取得し、この制御情報を無線通信部２３０、１５０を介して撮像装置１００の制御部１４０に送信する。この制御情報を受信した場合には、撮像装置１００の制御部１４０は、その受信した制御情報に基づいて撮像部１１０のズームレンズの駆動を制御する。
【０２１７】
このように、ユーザ操作無効期間中にその旨をユーザに通知することにより、ユーザは、ユーザ操作無効期間中であることを視覚的に容易に把握することができる。
【０２１８】
なお、図１６および図１７では、ユーザ操作無効期間中である旨を表示することによりユーザに通知する例を示したが、その旨を音声出力することによりユーザに通知するようにしてもよい。
【０２１９】
［撮像装置の動作例］
図１８は、本技術の第１の実施の形態における撮像装置１００による操作部材無効化処理の処理手順の一例を示すフローチャートである。
【０２２０】
最初に、制御部１４０は、撮像装置１００の情報処理装置２００への取付開始が検出されたか否かを判断する（ステップＳ９６１）。その取付開始が検出されていない場合には（ステップＳ９６１）、監視を継続して行う。
【０２２１】
また、その取付開始が検出された場合には（ステップＳ９６１）、制御部１４０は、撮像装置１００の各操作部材のユーザ操作を無効とする制御を行う（ステップＳ９６２）。例えば、制御部１４０は、操作部材１６１乃至１６３の押下操作を無効とする制御を行う（ステップＳ９６２）。ただし、取付終了の検出を操作部材（例えば、取付終了ボタン）で行う場合には、その操作部材の受け付けのみを有効とする。なお、ステップＳ９６２は、特許請求の範囲に記載のユーザ操作を無効とする手順の一例である。
【０２２２】
続いて、制御部１４０は、ユーザ操作を無効とした旨を表示部１７０に表示させ、ＬＥＤ１８１を点滅表示させる（ステップＳ９６３）。例えば、図１６のｂに示すように、ユーザ操作を無効とした旨が表示部１７０に表示され、ＬＥＤ１８１が点滅表示される（ステップＳ９６３）。
【０２２３】
続いて、制御部１４０は、撮像装置１００の情報処理装置２００への取付終了が検出されたか否かを判断する（ステップＳ９６４）。その取付終了が検出されていない場合には（ステップＳ９６４）、監視を継続して行う。
【０２２４】
また、その取付終了が検出された場合には（ステップＳ９６４）、制御部１４０は、撮像装置１００の各操作部材を有効とする制御を行う（ステップＳ９６５）。すなわち、各操作部材のユーザ操作の無効が解除される。
【０２２５】
続いて、制御部１４０は、ユーザ操作を無効とした旨の表示を表示部１７０から消去し、ＬＥＤ１８１の点滅表示を停止する（ステップＳ９６６）。例えば、図１６のｃに示すように、ユーザ操作を無効とした旨の表示が消去され、ＬＥＤ１８１の点滅表示が停止され、点灯表示となる。
【０２２６】
［情報処理装置の動作例］
図１９は、本技術の第１の実施の形態における情報処理装置２００による操作部材無効化処理の処理手順の一例を示すフローチャートである。図１９では、取付終了が検出された際に、操作状態の操作部材（例えば、撮像装置１００の取付部材１９１、１９２により押下された状態の操作部材）が存在する場合には、その操作部材のユーザ操作を無効とする例を示す。
【０２２７】
最初に、制御部２５０は、撮像装置１００の情報処理装置２００への取付開始が検出されたか否かを判断する（ステップＳ９７１）。その取付開始が検出されていない場合には（ステップＳ９７１）、監視を継続して行う。
【０２２８】
また、その取付開始が検出された場合には（ステップＳ９７１）、制御部２５０は、情報処理装置２００の各操作部材のユーザ操作を無効とする制御を行う（ステップＳ９７２）。例えば、制御部２５０は、入出力部２４０におけるタッチ操作、操作部材２２１乃至２２３の押下操作を無効とする制御を行う（ステップＳ９７２）。ただし、取付終了の検出を操作部材（例えば、取付終了ボタン、入出力部２４０における特定パターン画面）で行う場合には、その操作部材の受け付けのみを有効とする。なお、ステップＳ９７２は、特許請求の範囲に記載のユーザ操作を無効とする手順の一例である。
【０２２９】
続いて、制御部２５０は、ユーザ操作を無効とした旨を入出力部２４０に表示させる（ステップＳ９７３）。例えば、図１７のｂに示すように、ユーザ操作を無効とした旨が入出力部２４０に表示される（ステップＳ９７３）。
【０２３０】
続いて、制御部２５０は、撮像装置１００の情報処理装置２００への取付終了が検出されたか否かを判断する（ステップＳ９７４）。その取付終了が検出されていない場合には（ステップＳ９７４）、監視を継続して行う。
【０２３１】
また、その取付終了が検出された場合には（ステップＳ９７４）、制御部２５０は、操作状態の操作部材が存在するか否かを判断する（ステップＳ９７５）。例えば、撮像装置１００の取付部材１９１により操作部材２２２が押下された状態である場合には、操作状態の操作部材２２２が存在すると判断される。
【０２３２】
操作状態の操作部材が存在する場合には（ステップＳ９７５）、制御部２５０は、その操作状態の操作部材を無効とした状態で、他の操作部材のユーザ操作を有効とする制御を行う（ステップＳ９７６）。例えば、撮像装置１００の取付部材１９１により操作部材２２２が押下された状態である場合を想定する。この場合には、制御部２５０は、操作部材２２２の押下操作を無効とし、他の操作部材のユーザ操作（入出力部２４０におけるタッチ操作、操作部材２２１、２２３の押下操作）を有効とする制御を行う（ステップＳ９７６）。
【０２３３】
続いて、制御部２５０は、操作状態の操作部材のユーザ操作を無効とした旨を入出力部２４０に表示させる（ステップＳ９７７）。なお、この表示により、ユーザが撮像装置１００の取付位置を変更することにより、その操作部材の操作状態が解除された場合には、その操作部材のユーザ操作を有効とし、その旨を再度表示するようにしてもよい。
【０２３４】
また、操作状態の操作部材が存在しない場合には（ステップＳ９７５）、制御部２５０は、情報処理装置２００の各操作部材を有効とする制御を行う（ステップＳ９７８）。すなわち、各操作部材のユーザ操作の無効が解除される。
【０２３５】
続いて、制御部２５０は、ユーザ操作を無効とした旨の表示を入出力部２４０から消去する（ステップＳ９７９）。例えば、図１７のｃに示すように、ユーザ操作を無効とした旨の表示が消去され、撮像動作に関する表示画面が入出力部２４０に表示される。
【０２３６】
このように、本技術の第１の実施の形態では、撮像装置１００および情報処理装置２００の取付開始が検出されてから取付終了が検出されるまでの間、ユーザ操作の全部または一部を無効とする。これにより、その作業中のユーザによる誤作動を防止することができる。
【０２３７】
＜２．第２の実施の形態＞
本技術の第１の実施の形態では、撮像装置および情報処理装置の取付開始が検出されてから取付終了が検出されるまでの間、ユーザ操作を無効とする例を示した。また、図５のｂに示すように、情報処理装置に取り付けられている撮像装置を取り外す作業中においても同様に、ユーザ操作を無効とすることができる。
【０２３８】
そこで、本技術の第２の実施の形態では、撮像装置および情報処理装置の取外し開始が検出されてから取外し終了が検出されるまでの間、ユーザ操作を無効とする例を示す。なお、本技術の第２の実施の形態における撮像装置および情報処理装置の構成については、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０２３９】
［取外し開始の検出例］
例えば、操作部材（例えば、取外し開始ボタンの押下操作、タッチパネルにおけるアプリ終了ボタンのタッチ操作）を用いて、撮像装置１００および情報処理装置２００の取外し開始を検出することができる。
【０２４０】
［取り外し終了の検出例］
例えば、タイマを用いて取外し終了を検出することができる。例えば、撮像装置１００および情報処理装置２００の取外しが開始されてから一定時間以内に、その取外し作業が終了することが想定される。そこで、撮像装置１００の情報処理装置２００への取外し開始が検出されてから一定時間が経過した後に、取外し終了を検出することができる。
【０２４１】
また、例えば、操作部材（例えば、取外し終了ボタンの押下操作、タッチパネルにおける特定パターンをなぞる操作）を用いて、撮像装置１００および情報処理装置２００の取外し終了を検出することができる。また、例えば、近距離無線通信や受信電波強度を用いて撮像装置１００および情報処理装置２００間の距離が閾値以上であることを検出した場合に、取外し終了を検出することができる。
【０２４２】
なお、これらの取外し開始の検出例、取外し終了の検出例は、一例であり、他の検出方法を用いるようにしてもよい。また、本技術の第１の実施の形態で示したように、一方の装置の検出結果を他方の装置に通知することにより、取外し開始や、取外し終了を検出するようにしてもよい。
【０２４３】
［情報処理装置の動作例］
図２０は、本技術の第２の実施の形態における情報処理装置２００による操作部材無効化処理の処理手順の一例を示すフローチャートである。
【０２４４】
最初に、制御部２５０は、撮像装置１００の情報処理装置２００への取外し開始が検出されたか否かを判断する（ステップＳ９８１）。その取外し開始が検出されていない場合には（ステップＳ９８１）、監視を継続して行う。
【０２４５】
また、その取外し開始が検出された場合には（ステップＳ９８１）、制御部２５０は、情報処理装置２００の各操作部材のユーザ操作を無効とする制御を行う（ステップＳ９８２）。例えば、制御部２５０は、入出力部２４０におけるタッチ操作、操作部材２２１乃至２２３の押下操作を無効とする制御を行う（ステップＳ９８２）。ただし、取外し終了の検出を操作部材（例えば、取外し終了ボタン、入出力部２４０における特定パターン画面）で行う場合には、その操作部材の受け付けのみを有効とする。なお、ステップＳ９８２は、特許請求の範囲に記載のユーザ操作を無効とする手順の一例である。
【０２４６】
続いて、制御部２５０は、ユーザ操作を無効とした旨を入出力部２４０に表示させる（ステップＳ９８３）。例えば、図１７のｂに示すように、ユーザ操作を無効とした旨が入出力部２４０に表示される（ステップＳ９８３）。
【０２４７】
続いて、制御部２５０は、撮像装置１００の情報処理装置２００への取外し終了が検出されたか否かを判断する（ステップＳ９８４）。その取外し終了が検出されていない場合には（ステップＳ９８４）、監視を継続して行う。
【０２４８】
また、その取外し終了が検出された場合には（ステップＳ９８４）、制御部２５０は、情報処理装置２００の各操作部材を有効とする制御を行う（ステップＳ９８５）。すなわち、各操作部材のユーザ操作の無効が解除される。
【０２４９】
続いて、制御部２５０は、ユーザ操作を無効とした旨の表示を入出力部２４０から消去する（ステップＳ９８６）。例えば、図１７のａに示すように、ユーザ操作を無効とした旨の表示が消去され、通常時の表示画面が入出力部２４０に表示される。
【０２５０】
また、図２０では、情報処理装置２００による操作部材無効化処理の処理手順を示したが、撮像装置１００による操作部材無効化処理の処理手順についても同様とすることができる。
【０２５１】
このように、情報処理装置２００の制御部２５０は、情報処理装置２００および撮像装置１００の取外し開始が検出されてから取外し終了が検出されるまでの間、それぞれが備える各操作部材のうちの少なくとも１つの操作部材のユーザ操作を無効とする制御を行う。また、撮像装置１００の制御部１４０は、情報処理装置２００および撮像装置１００の取外し開始が検出されてから取外し終了が検出されるまでの間、それぞれが備える各操作部材のうちの少なくとも１つの操作部材のユーザ操作を無効とする制御を行う。
【０２５２】
このように、本技術の第２の実施の形態では、撮像装置１００および情報処理装置２００の取外し開始が検出されてから取外し終了が検出されるまでの間、ユーザ操作の全部または一部を無効とする。これにより、その作業中のユーザの誤操作による誤作動を防止することができる。
【０２５３】
なお、本技術の実施の形態では、円筒形（円柱形）の撮像装置１００を例にして説明したが、他の装置に取り付けることが可能な他の形状の撮像装置についても、本技術の実施の形態を適用することができる。また、本技術の実施の形態では、スマートフォン、タブレット端末等の情報処理装置２００を例にして説明したが、無線通信を利用して撮像装置と接続することが可能な他の装置についても、本技術の実施の形態を適用することができる。
【０２５４】
また、本技術の実施の形態では、撮像装置および情報処理装置の取付作業および取外し作業の例について説明したが、他の装置間の取付作業および取外し作業についても、本技術の実施の形態を適用することができる。例えば、静止画撮影の際に使用される発光装置および撮像装置（例えば、デジタルスチルカメラ）の取付作業または取外し作業に、本技術の実施の形態を適用することができる。また、動画撮影の際に使用される集音装置（例えば、マイク）および撮像装置（例えば、カメラ一体型レコーダ）の取付作業または取外し作業に、本技術の実施の形態を適用することができる。また、動画再生の際に使用される音声出力装置（例えば、スピーカ）および撮像装置（例えば、カメラ一体型レコーダ）の取付作業または取外し作業に、本技術の実施の形態を適用することができる。
【０２５５】
また、例えば、集音装置（例えば、マイク）および情報処理装置の取付作業または取外し作業に、本技術の実施の形態を適用することができる。また、動画再生の際に使用される音声出力装置（例えば、スピーカ）および情報処理装置の取付作業または取外し作業に、本技術の実施の形態を適用することができる。すなわち、本技術の実施の形態は、複数の装置の取付作業中または取外し作業中に、各装置のそれぞれが備える各操作部材のうちの少なくとも１つの操作部材のユーザ操作を無効とする制御を行う装置の例として把握することができる。
【０２５６】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２５７】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２５８】
なお、本明細書に記載された効果はあくまで例示であって、限定されるものではなく、また、他の効果があってもよい。
【０２５９】
なお、本技術は以下のような構成もとることができる。
（１）
情報処理装置と撮像装置の取付または取外しの際、前記情報処理装置または前記撮像装置の操作部材のうちの少なくとも１つの操作部材のユーザ操作を無効とする制御を行う制御部を具備する情報処理装置。
（２）
前記制御部は、前記情報処理装置と前記撮像装置の取付開始が検出されてから取付終了が検出されるまでの間を、前記情報処理装置と前記撮像装置の取付の際とし、前記情報処理装置と前記撮像装置の取外し開始が検出されてから取外し終了が検出されるまでの間を、前記情報処理装置と前記撮像装置の取外しの際として、前記ユーザ操作を無効とする制御を行う前記（１）に記載の情報処理装置。
（３）
前記制御部は、操作部材を用いた操作入力と、近距離無線通信を用いた近接装置の検出と、受信電波強度を用いた近接装置の検出と、前記撮像装置からの取付開始通知とのうちの少なくとも１つに基づいて、前記取付開始を検出する前記（２）に記載の情報処理装置。
（４）
前記制御部は、前記情報処理装置および前記撮像装置のそれぞれについて前記取付開始が検出された場合に、前記ユーザ操作を無効とする制御を行う前記（３）に記載の情報処理装置。
（５）
前記制御部は、前記取付開始が検出された場合には、前記取付開始が検出された旨の通知情報を前記撮像装置に送信し、前記情報処理装置が備える各操作部材のうちの少なくとも１つの操作部材のユーザ操作を無効とする制御を行い、
前記撮像装置は、前記通知情報を受信した場合に、前記撮像装置が備える各操作部材のうちの少なくとも１つの操作部材のユーザ操作を無効とする制御を行う
前記（３）または（４）に記載の情報処理装置。
（６）
前記制御部は、前記取付開始の検出時からの経過時間と、操作部材を用いた操作入力と、前記撮像装置からの取付終了通知とのうちの少なくとも１つに基づいて、前記取付終了を検出する前記（２）から（５）のいずれかに記載の情報処理装置。
（７）
前記制御部は、前記取付終了が検出された場合に、前記ユーザ操作の無効を解除するための制御を行う前記（６）に記載の情報処理装置。
（８）
前記制御部は、前記ユーザ操作を無効とした旨をユーザに通知するための制御を行う前記（１）から（７）のいずれかに記載の情報処理装置。
（９）
情報処理装置と撮像装置の取付または取外しの際、前記情報処理装置または前記撮像装置の操作部材のうちの少なくとも１つの操作部材のユーザ操作を無効とする制御を行う制御部を具備する撮像装置。
（１０）
前記制御部は、前記情報処理装置と前記撮像装置の取付開始が検出されてから取付終了が検出されるまでの間を、前記情報処理装置と前記撮像装置の取付の際とし、前記情報処理装置と前記撮像装置の取外し開始が検出されてから取外し終了が検出されるまでの間を、前記情報処理装置と前記撮像装置の取外しの際として、前記ユーザ操作を無効とする制御を行う前記（９）に記載の撮像装置。
（１１）
前記制御部は、操作部材を用いた操作入力と、近距離無線通信を用いた近接装置の検出と、受信電波強度を用いた近接装置の検出と、前記情報処理装置からの取付開始通知とのうちの少なくとも１つに基づいて、前記取付開始を検出する前記（１０）に記載の撮像装置。
（１２）
前記制御部は、前記情報処理装置および前記撮像装置のそれぞれについて前記取付開始が検出された場合に、前記ユーザ操作を無効とする制御を行う前記（１１）に記載の撮像装置。
（１３）
前記制御部は、前記取付開始が検出された場合には、前記取付開始が検出された旨の通知情報を前記情報処理装置に送信し、前記撮像装置が備える各操作部材のうちの少なくとも１つの操作部材のユーザ操作を無効とする制御を行い、
前記情報処理装置は、前記通知情報を受信した場合に、前記情報処理装置が備える各操作部材のうちの少なくとも１つの操作部材のユーザ操作を無効とする制御を行う
前記（１１）または（１２）に記載の撮像装置。
（１４）
前記制御部は、前記取付開始の検出時からの経過時間と、操作部材を用いた操作入力と、前記情報処理装置からの取付終了通知とのうちの少なくとも１つに基づいて、前記取付終了を検出する前記（１０）から（１３）のいずれかに記載の撮像装置。
（１５）
前記制御部は、前記取付終了が検出された場合に、前記ユーザ操作の無効を解除するための制御を行う前記（１４）に記載の撮像装置。
（１６）
前記制御部は、前記ユーザ操作を無効とした旨をユーザに通知するための制御を行う前記（９）から（１５）のいずれかに記載の撮像装置。
（１７）
情報処理装置と撮像装置の取付または取外しの際、前記情報処理装置または前記撮像装置の操作部材のうちの少なくとも１つの操作部材のユーザ操作を無効とする制御を行う制御部を具備する撮像システム。
（１８）
前記制御部は、前記情報処理装置と前記撮像装置の取付開始が検出されてから取付終了が検出されるまでの間を、前記情報処理装置と前記撮像装置の取付の際とし、前記情報処理装置と前記撮像装置の取外し開始が検出されてから取外し終了が検出されるまでの間を、前記情報処理装置と前記撮像装置の取外しの際として、前記ユーザ操作を無効とする制御を行う前記（１７）に記載の撮像システム。
（１９）
前記制御部は、操作部材を用いた操作入力と、近距離無線通信を用いた近接装置の検出と、受信電波強度を用いた近接装置の検出と、前記情報処理装置または前記撮像装置からの取付開始通知とのうちの少なくとも１つに基づいて、前記取付開始を検出する前記（１８）に記載の撮像システム。
（２０）
前記制御部は、前記情報処理装置および前記撮像装置のそれぞれについて前記取付開始が検出された場合に、前記ユーザ操作を無効とする制御を行う前記（１９）に記載の撮像システム。
（２１）
前記制御部は、前記情報処理装置および前記撮像装置のうちの一方の装置から前記取付開始が検出された場合には、前記一方の装置の操作部材のうちの少なくとも１つの操作部材のユーザ操作を無効とする制御を行い、前記取付開始が検出された旨の通知情報を他方の装置に送信して前記他方の装置の操作部材のうちの少なくとも１つの操作部材のユーザ操作を無効とする制御を行う前記（１９）または（２０）に記載の撮像システム。
（２２）
前記制御部は、前記取付開始の検出時からの経過時間と、操作部材を用いた操作入力と、前記情報処理装置または前記撮像装置からの取付終了通知とのうちの少なくとも１つに基づいて、前記取付終了を検出する前記（１８）から（２１）のいずれかに記載の撮像システム。
（２３）
前記制御部は、前記取付終了が検出された場合に、前記ユーザ操作の無効を解除するための制御を行う前記（２２）に記載の撮像システム。
（２４）
前記制御部は、前記ユーザ操作を無効とした旨をユーザに通知するための制御を行う前記（１７）から（２３）のいずれかに記載の撮像システム。
（２５）
情報処理装置と撮像装置の取付または取外しの際、前記情報処理装置または前記撮像装置の操作部材のうちの少なくとも１つの操作部材のユーザ操作を無効とする情報処理方法。
（２６）
情報処理装置と撮像装置の取付または取外しの際、前記情報処理装置または前記撮像装置の操作部材のうちの少なくとも１つの操作部材のユーザ操作を無効とする手順をコンピュータに実行させるプログラム。
【符号の説明】
【０２６０】
１００  撮像装置
１１０  撮像部
１２０  画像処理部
１３０  記憶部
１４０  制御部
１５０  無線通信部
１６０  操作受付部
１６１〜１６４  操作部材
１７０  表示部
１８０  鏡筒
１９１、１９２  取付部材
１９５  装着面
２００  情報処理装置
２１０  姿勢検出部
２２０  操作受付部
２２１〜２２４  操作部材
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
2015095864.tif 000003
【図２】
2015095864.tif 000004
【図３】
2015095864.tif 000005
【図４】
2015095864.tif 000006
【図５】
2015095864.tif 000007
【図６】
2015095864.tif 000008
【図７】
2015095864.tif 000009
【図８】
2015095864.tif 000010
【図９】
2015095864.tif 000011
【図１０】
2015095864.tif 000012
【図１１】
2015095864.tif 000013
【図１２】
2015095864.tif 000014
【図１３】
2015095864.tif 000015
【図１４】
2015095864.tif 000016
【図１５】
2015095864.tif 000017
【図１６】
2015095864.tif 000018
【図１７】
2015095864.tif 000019
【図１８】
2015095864.tif 000020
【図１９】
2015095864.tif 000021
【図２０】
2015095864.tif 000022